(57)【特許請求の範囲】
【請求項１】
基地局へアップリンクデータを送信する必要がある場合に、アップリンク伝送リソースを使って前記基地局へ制御情報を送信するよう構成された送信モジュールであって、前記制御情報は端末の前記アップリンクデータのためにアップリンクスケジューリングを遂行することを前記基地局に要求するために使われる、送信モジュールと、
前記制御情報に応じて前記基地局からアップリンクスケジューリング情報を受信するよう構成された受信モジュールと
を含み、
前記送信モジュールは前記アップリンクスケジューリング情報を使って前記基地局へ前記アップリンクデータを送信するようさらに構成され、
前記制御情報はバッファステータスレポート、BSRを含み、前記アップリンク伝送リソースは共通アップリンクスケジューリング情報を含み、
前記受信モジュールは前記基地局から前記共通アップリンクスケジューリング情報を受信するようさらに構成され、前記共通アップリンクスケジューリング情報は共通物理アップリンク共用チャネル、PUSCHを含み、前記共通PUSCHは複数の端末で共用できるPUSCHを表すために使われ、
前記送信モジュールは前記共通アップリンクスケジューリング情報を使って前記基地局へ前記BSRと前記端末のセル無線ネットワーク仮識別子、C−RNTI、とを送信するよう構成され、
前記アップリンクスケジューリング情報を運ぶ物理ダウンリンク制御チャネル、PDCCH、は、前記端末のC−RNTIを使ってスクランブルされる、
端末。
【請求項２】
前記制御情報はバッファステータスレポート、BSRを含み、前記アップリンク伝送リソースは物理アップリンク制御チャネル、PUCCHを含み、
前記送信モジュールは前記PUCCHを使って前記基地局へ前記BSRを送信するよう構成される、
請求項1に記載の端末。
【請求項３】
前記送信モジュールは、前記BSRの送信に使われる前記PUCCHによって占められる物理リソースブロックがチャネル状態情報、CSIの送信に使われるPUCCHによって占められる物理リソースブロックと同じであり、前記BSRの送信と前記CSIの送信とで伝送衝突が生じることが判明する場合に、前記BSRと前記CSIの所定送信優先順位に従って送信優先順位が高い方の前記BSRまたはCSIを前記PUCCHを使って前記基地局へ優先的に送信し、あるいは
前記BSRの送信に使われる前記PUCCHによって占められる物理リソースブロックが肯定応答／否定応答、ACK／NACKの送信に使われるPUCCHによって占められる物理リソースブロックと同じであり、尚且つ前記BSRの送信と前記ACK／NACKの送信とで伝送衝突が生じることが判明する場合に、前記BSRと前記ACK／NACKの所定送信優先順位に従って送信優先順位が高い方の前記BSRまたはACK／NACKを前記PUCCHを使って前記基地局へ優先的に送信するよう構成される、
請求項2に記載の端末。
【請求項４】
アップリンク伝送リソースを使って端末から制御情報を受信するよう構成された受信モジュールであって、前記制御情報は前記端末の未送信データのためにアップリンクスケジューリングを遂行することを基地局に要求するために使われる、前記受信モジュールと、
前記制御情報に従って前記制御情報に対応するアップリンクスケジューリング情報を前記端末へ送信するよう構成された送信モジュールと
を含み、
前記受信モジュールは前記アップリンクスケジューリング情報を使って前記端末からアップリンクデータを受信するようさらに構成され、
前記送信モジュールは前記端末のために共通アップリンクスケジューリング情報を構成するようさらに構成され、
前記受信モジュールは前記共通アップリンクスケジューリング情報を使って前記端末から前記制御情報と前記端末のセル無線ネットワーク仮識別子、C−RNTI、とを受信するよう構成され、前記制御情報はバッファステータスレポート、BSRを含み、
前記送信モジュールは、
前記端末のC−RNTIを使って前記アップリンクスケジューリング情報を運ぶ物理ダウンリンク制御チャネル、PDCCH、をスクランブルし、尚且つ前記スクランブルされたPDCCHを前記端末へ送信するよう構成される、
基地局。
【請求項５】
前記受信モジュールは前記端末から前記制御情報を物理アップリンク制御チャネル、PUCCHで受信するよう構成され、前記制御情報はバッファステータスレポート、BSRを含む、
請求項4に記載の基地局。
【請求項６】
基地局へアップリンクデータを送信する必要がある場合に、端末により、アップリンク伝送リソースを使って前記基地局へ制御情報を送信するステップであって、前記制御情報は前記端末の未送信データのためにアップリンクスケジューリングを遂行することを前記基地局に要求するために使われる、ステップと、
前記端末により、前記制御情報に応じて前記基地局からアップリンクスケジューリング情報を受信するステップと、
前記端末により、前記アップリンクスケジューリング情報を使って前記基地局へアップリンクデータを送信するステップと
を含み、
前記制御情報はバッファステータスレポートBSRを含み、前記アップリンク伝送リソースは共通アップリンクスケジューリング情報を含み、
アップリンク伝送リソースを使って前記基地局へ制御情報を送信する前記ステップは、
前記端末により、前記共通アップリンクスケジューリング情報を受信するステップであって、前記共通アップリンクスケジューリング情報は共通物理アップリンク共用チャネル、PUSCHを含み、前記共通PUSCHは複数の端末で共用できるPUSCHを表すために使われる、ステップと、
前記端末により、前記共通アップリンクスケジューリング情報を使って前記基地局へ前記BSRと前記端末のセル無線ネットワーク仮識別子、C−RNTI、とを送信するステップとを含み、
前記アップリンクスケジューリング情報を運ぶ物理ダウンリンク制御チャネル、PDCCH、は、前記端末のC−RNTIを使ってスクランブルされる、
データ伝送方法。
【請求項７】
前記制御情報はバッファステータスレポート、BSRを含み、前記アップリンク伝送リソースは物理アップリンク制御チャネル、PUCCHを含み、
アップリンク伝送リソースを使って前記基地局へ制御情報を送信する前記ステップは、
前記端末により、前記PUCCHを使って前記基地局へ前記BSRを送信するステップ
を含む、請求項6に記載の方法。
【請求項８】
前記端末により、前記PUCCHを使って前記基地局へ前記BSRを送信する前記ステップは、
前記BSRの送信に使われる前記PUCCHによって占められる物理リソースブロックがチャネル状態情報、CSIの送信に使われるPUCCHによって占められる物理リソースブロックと同じであり、尚且つ前記BSRの送信と前記CSIの送信とで伝送衝突が生じることが判明する場合に、前記端末により、前記BSRと前記CSIの所定送信優先順位に従って送信優先順位が高い方の前記BSRまたはCSIを前記PUCCHを使って前記基地局へ優先的に送信するステップを含み、あるいは
前記BSRの送信に使われる前記PUCCHによって占められる物理リソースブロックが肯定応答／否定応答、ACK／NACKの送信に使われるPUCCHによって占められる物理リソースブロックと同じであり、尚且つ前記BSRの送信と前記ACK／NACKの送信とで伝送衝突が生じることが判明する場合に、前記BSRと前記ACK／NACKの所定送信優先順位に従って送信優先順位が高い方の前記BSRまたはACK／NACKを前記PUCCHを使って前記基地局へ優先的に送信するステップ
を含む、請求項7に記載の方法。
【請求項９】
基地局により、アップリンク伝送リソースを使って端末から制御情報を受信するステップであって、制御情報は前記端末の未送信データのためにアップリンクスケジューリングを遂行することを前記基地局に要求するために使われる、ステップと、
前記基地局により、前記制御情報に従って前記端末へ前記制御情報に対応するアップリンクスケジューリング情報を送信するステップと、
前記基地局により、前記アップリンクスケジューリング情報を使って前記端末からアップリンクデータを受信するステップと
を含み、
前記基地局により、前記端末のために共通アップリンクスケジューリング情報を構成するステップ
をさらに含み、
基地局により、アップリンク伝送リソースを使って前記端末から制御情報を受信する前記ステップは、
前記基地局により、前記共通アップリンクスケジューリング情報を使って前記端末から前記制御情報と前記端末のセル無線ネットワーク仮識別子、C−RNTI、とを受信するステップであって、前記制御情報はバッファステータスレポートBSRを含む、ステップ
を含み
前記基地局により、前記制御情報に従って前記端末へ前記制御情報に対応するアップリンクスケジューリング情報を送信するステップは、
前記基地局により、前記端末の前記C−RNTIを使って前記アップリンクスケジューリング情報を運ぶ物理ダウンリンク制御チャネル、PDCCH、をスクランブルするステップと、前記スクランブルされたPDCCHを前記端末へ送信するステップとを含む、
データ伝送方法。
【請求項１０】
基地局により、アップリンク伝送リソースを使って前記端末から制御情報を受信する前記ステップは、
前記基地局により、前記端末から前記制御情報を物理アップリンク制御チャネル、PUCCHで受信するステップであって、前記制御情報はバッファステータスレポートBSRを含む、ステップ
を含む請求項9に記載の方法。
【請求項１１】
請求項6から8のいずれか一項に記載の方法をコンピュータに実行させるプログラム。
【請求項１２】
請求項9または10に記載の方法をコンピュータに実行させるプログラム。
【発明の詳細な説明】
【技術分野】
【０００１】
本発明は無線通信技術分野に関し、具体的にはデータ伝送方法および装置に関する。
【背景技術】
【０００２】
モバイルインターネット技術の開発にともない、ロングタームエボリューション（略してLTE）ネットワークがモバイル通信のためのグローバルシステム（英語：Global System for Mobile Communications、略してGSM(登録商標)）や広帯域符号分割多元接続システム（略してWCDMA(登録商標)）といったセルラー技術に徐々に取って代わり、幅広く導入されている。ただし、モノのインターネットをはじめとする技術の開発にともない、マシン対マシン（略してM2M）通信が業界の高まる注目を集めている。
【０００３】
例えば、家庭用計器読み取りの応用シナリオでは、M2M機能を有する端末が小さいデータパケットを基地局装置へ定期的に送信し、サービス遅延に対する敏感さは比較的低い。ただし、業務用装置状態監視の応用シナリオでは、M2M機能を有する端末が検出された状態データを速やかに報告することで応答を速やかに行えるようにする必要がある。つまり、業務用装置状態監視の応用シナリオにおけるエンド・ツー・エンド・データ伝送は遅延にすこぶる敏感であり、この場合はデータ伝送システムのデータ伝送遅延を最小限に抑える必要がある。
【０００４】
現在の通信システムでエンド・ツー・エンド・データ伝送遅延は有線ネットワーク処理遅延、ライン伝送遅延、無線エアインターフェース処理遅延、伝送遅延等を含む。ただし、エンド・ツー・エンド・データ伝送遅延をいかにして減らすかが解決すべき緊急の問題となっている。
【発明の概要】
【課題を解決するための手段】
【０００５】
以上を踏まえ、本発明の実施形態はエンド・ツー・エンド・データ伝送遅延を軽減するデータ伝送方法および装置を提供する。
【０００６】
本発明の第1の態様によると、データ伝送装置が提供され、データ伝送装置はユーザー機器であり、データ伝送装置は、
基地局へアップリンクデータを送信する必要がある場合に、アップリンク伝送リソースを使って基地局へ制御情報を送信するよう構成された送信モジュールであって、ここで制御情報はユーザー機器の未送信データのためにアップリンクスケジューリングを遂行することを基地局に要求するために使われる、送信モジュールと、
送信モジュールによって送信された制御情報に応じて基地局から返されるアップリンクスケジューリング情報を受信するよう構成された受信モジュールと
を含み、
送信モジュールは受信モジュールによって受信されたアップリンクスケジューリング情報を使って基地局へアップリンクデータを送信するようさらに構成される。
【０００７】
本発明の第1の態様を参照し、第1の可能な実装様態において、制御情報はバッファステータスレポートBSRを含み、アップリンク伝送リソースは物理アップリンク制御チャネルPUCCHを含み、
送信モジュールはPUCCHを使って基地局へBSRを送信するよう具体的に構成される。
【０００８】
本発明の第1の態様の第1の可能な実装様態を参照し、第2の可能な実装様態において、送信モジュールは、BSRの送信に使われるPUCCHによって占められる物理リソースブロックがチャネル状態情報CSIの送信に使われるPUCCHによって占められる物理リソースブロックと同じであり、BSRの送信とCSIの送信とで伝送衝突が生じることが判明する場合に、BSR送信とCSI送信の所定送信優先順位に従って送信優先順位が高い方のBSR／CSIをPUCCHを使って基地局へ優先的に送信し、あるいは
BSRの送信に使われるPUCCHによって占められる物理リソースブロックが肯定応答／否定応答ACK／NACKの送信に使われるPUCCHによって占められる物理リソースブロックと同じであり、BSRの送信とACK／NACKの送信とで伝送衝突が生じることが判明する場合に、BSR送信とACK／NACK送信の所定送信優先順位に従って送信優先順位が高い方のBSR／ACK／NACKをPUCCHを使って基地局へ優先的に送信するよう具体的に構成される。
【０００９】
本発明の第1の態様の第1の可能な実装様態を参照し、または本発明の第1の態様の第2の可能な実装様態を参照し、第3の可能な実装様態において、PUCCHは第二形式物理アップリンク制御チャネルFormat2＿PUCCHまたは第三形式物理アップリンク制御チャネルFormat3＿PUCCHのうち、少なくとも1つ以上を含む。
【００１０】
本発明の第1の態様の第3の可能な実装様態を参照し、第4の可能な実装様態において、送信モジュールは、Format3＿PUCCHを使って基地局へBSRを送信するときに、Format3＿PUCCHに対応する物理リソースブロックにアイドルビットが存在する場合に、Format3＿PUCCHを使って基地局へパケットハンドリングレポートPHRを送信するようさらに構成される。
【００１１】
本発明の第1の態様を参照し、第5の可能な実装様態において、制御情報はバッファステータスレポートBSRを含み、アップリンク伝送リソースは共通アップリンクスケジューリング情報を含み、
受信モジュールは基地局によって構成される共通アップリンクスケジューリング情報を受信するようさらに構成され、ここで共通アップリンクスケジューリング情報は共通物理アップリンク共用チャネルPUSCHを含み、共通PUSCHは複数のユーザー機器で共用できるPUSCHを表すために使われ、
送信モジュールは受信モジュールによって受信された共通アップリンクスケジューリング情報を使って基地局へBSRとユーザー機器のセル無線ネットワーク仮識別子C−RNTIとを送信するよう具体的に構成される。
【００１２】
本発明の第1の態様の第5の可能な実装様態を参照し、第6の可能な実装様態において、受信モジュールは基地局によって構成されるグループ無線ネットワーク仮識別子G−RNTIを受信するようさらに構成され、ここでG−RNTIは、基地局によって構成され、複数のユーザー機器によって共用される共通アップリンクスケジューリング情報に対応する、RNTIを表し、
受信モジュールは、制御情報に応じて基地局によって送信されるアップリンクスケジューリング情報をスクランブルされた物理ダウンリンク制御チャネルPDCCHで受信し、
G−RNTIを使ってスクランブルされたPDCCHをデスクランブルし、
スクランブルされたPDCCHが正常に受信される場合に、スクランブルされたPDCCHからダウンリンクスケジューリング情報を取得するよう具体的に構成され、ここでダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝え、
PDSCHで運ばれる、アップリンクスケジューリング情報を使用する目標ユーザー機器のC−RNTIが、ユーザー機器のC−RNTIと同じであると判断される場合に、PDSCHで運ばれるアップリンクスケジューリング情報がユーザー機器のアップリンクスケジューリング情報であると判断するよう具体的に構成される。
【００１３】
本発明の第1の態様の第5の可能な実装様態を参照し、または本発明の第1の態様の第6の可能な実装様態を参照し、第7の可能な実装様態において、受信モジュールは、基地局によって送信される共通アップリンクスケジューリング情報をスクランブルされたPDCCHで取得するよう具体的に構成され、ここでスクランブルされたPDCCHは基地局がG−RNTIを使ってPDCCHをスクランブルした後に得られ、あるいは
基地局によって送信される無線リソース制御RRCシグナリングを受信するよう具体的に構成され、ここでRRCシグナリングは共通アップリンクスケジューリング情報を運び、あるいは
基地局によって送信されるシステムメッセージを受信するよう具体的に構成され、ここでシステムメッセージは共通アップリンクスケジューリング情報を運ぶ。
【００１４】
本発明の第1の態様を参照し、本発明の第1の態様の第1の可能な実装様態を参照し、本発明の第1の態様の第2の可能な実装様態を参照し、本発明の第1の態様の第3の可能な実装様態を参照し、本発明の第1の態様の第4の可能な実装様態を参照し、または本発明の第1の態様の第5の可能な実装様態を参照し、第8の可能な実装様態において、受信モジュールは、制御情報に応じて基地局によって送信されるアップリンクスケジューリング情報をスクランブルされた物理ダウンリンク制御チャネルPDCCHで受信し、
ユーザー機器のセル無線ネットワーク仮識別子C−RNTIを使ってスクランブルされたPDCCHをデスクランブルし、
スクランブルされたPDCCHが正常に受信される場合に、スクランブルされたPDCCHで運ばれるアップリンクスケジューリング情報を取得するよう具体的に構成される。
【００１５】
本発明の第2の態様によると、データ伝送装置が提供され、データ伝送装置は基地局装置であり、データ伝送装置は、
アップリンク伝送リソースを使ってユーザー機器により送信される制御情報を受信するよう構成された受信モジュールであって、ここで制御情報はユーザー機器の未送信データのためにアップリンクスケジューリングを遂行することを基地局に要求するために使われる、受信モジュールと、
受信モジュールによって受信された制御情報に従って制御情報に対応するアップリンクスケジューリング情報をユーザー機器へ送信するよう構成された送信モジュールと
を含み、
受信モジュールはアップリンクスケジューリング情報を使ってユーザー機器により送信されるアップリンクデータを受信するようさらに構成される。
【００１６】
本発明の第2の態様を参照し、第1の可能な実装様態において、受信モジュールはユーザー機器によって送信される制御情報を物理アップリンク制御チャネルPUCCHで受信するよう具体的に構成され、ここで制御情報はバッファステータスレポートBSRを含む。
【００１７】
本発明の第2の態様を参照し、第2の可能な実装様態において、送信モジュールはユーザー機器のために共通アップリンクスケジューリング情報を構成するようさらに構成され、
受信モジュールは共通アップリンクスケジューリング情報を使ってユーザー機器により送信される制御情報とユーザー機器のセル無線ネットワーク仮識別子C−RNTIとを受信するよう具体的に構成され、ここで制御情報はバッファステータスレポートBSRを含む。
【００１８】
本発明の第2の態様の第2の可能な実装様態を参照し、第3の可能な実装様態において、送信モジュールはユーザー機器のためにグループ無線ネットワーク仮識別子G−RNTIを構成するようさらに構成され、ここでG−RNTIは、基地局によって構成され、複数のユーザー機器によって共用される共通アップリンクスケジューリング情報に対応する、RNTIを表し、
送信モジュールは、G−RNTIを使って物理ダウンリンク制御チャネルPDCCHをスクランブルし、尚且つスクランブルされたPDCCHを使ってユーザー機器のために共通アップリンクスケジューリング情報を構成するよう具体的に構成され、あるいは
ユーザー機器へ無線リソース制御RRCシグナリングを送信するよう具体的に構成され、ここでRRCシグナリングは共通アップリンクスケジューリング情報を運び、あるいは
ユーザー機器へシステムメッセージを送信するよう具体的に構成され、ここでシステムメッセージは共通アップリンクスケジューリング情報を運ぶ。
【００１９】
本発明の第2の態様の第2の可能な実装様態を参照し、または本発明の第2の態様の第3の可能な実装様態を参照し、第4の可能な実装様態において、送信モジュールは、制御情報に従ってユーザー機器にアップリンクスケジューリング情報を割り当て、
ダウンリンクスケジューリング情報で指示された物理ダウンリンク共用チャネルPDSCHにアップリンクスケジューリング情報とユーザー機器のC−RNTIとを加え、
G−RNTIを使ってダウンリンクスケジューリング情報を運ぶ物理ダウンリンク制御チャネルPDCCHをスクランブルし、尚且つスクランブルされたPDCCHをユーザー機器へ送信するよう具体的に構成され、ここでダウンリンクスケジューリング情報はPDSCHを含む。
【００２０】
本発明の第2の態様を参照し、本発明の第2の態様の第1の可能な実装様態を参照し、本発明の第2の態様の第2の可能な実装様態を参照し、または本発明の第2の態様の第3の可能な実装様態を参照し、第5の可能な実装様態において、送信モジュールは、制御情報に従ってユーザー機器にアップリンクスケジューリング情報を割り当て、
ユーザー機器のC−RNTIを使ってアップリンクスケジューリング情報を運ぶ物理ダウンリンク制御チャネルPDCCHをスクランブルし、尚且つスクランブルされたPDCCHをユーザー機器へ送信するよう具体的に構成される。
【００２１】
本発明の第3の態様によると、データ伝送装置が提供され、データ伝送装置はユーザー機器であり、データ伝送装置は、
基地局によって構成される共通アップリンクスケジューリング情報を取得するよう構成された取得モジュールであって、ここで共通アップリンクスケジューリング情報は共通物理アップリンク共用チャネルPUSCHを含み、共通PUSCHは複数のユーザー機器で共用できるPUSCHを表すために使われる、取得モジュールと、
基地局へアップリンクデータを送信する必要がある場合に、取得モジュールによって取得された共通アップリンクスケジューリング情報を使って基地局へアップリンクデータとアップリンク制御情報とを送信するよう構成された送信モジュールであって、ここでアップリンク制御情報はユーザー機器のセル無線ネットワーク仮識別子C−RNTIを含む、送信モジュールと
を含む。
【００２２】
本発明の第3の態様を参照し、第1の可能な実装様態において、データ伝送装置は、
アップリンクデータとユーザー機器のセル無線ネットワーク仮識別子C−RNTIとが基地局へ送信される前に、前記アップリンクデータ以外のアップリンクデータをさらに送信する必要があると判断するよう構成された判断モジュール
をさらに含み、
送信モジュールは共通アップリンクスケジューリング情報を使って基地局へアップリンクデータと、バッファステータスレポートBSRと、アップリンク制御情報とを送信するよう具体的に構成され、ここでBSRは送信済みの前記アップリンクデータ以外にも送信する必要のあるアップリンクデータがあることを伝えるバッファ情報を表すために使われる。
【００２３】
本発明の第3の態様を参照し、または本発明の第3の態様の第1の可能な実装様態を参照し、第2の可能な実装様態において、データ伝送装置は、
基地局によって送信される肯定応答／否定応答情報を受信し、尚且つ肯定応答／否定応答情報に従って基地局へアップリンクデータを再び送信する必要があるか否かを判断するよう構成された受信モジュール
をさらに含む。
【００２４】
本発明の第3の態様の第2の可能な実装様態を参照し、第3の可能な実装様態において、受信モジュールは、基地局によって送信されるダウンリンクスケジューリング情報をスクランブルされたPDCCHで受信し、尚且つG−RNTIを使ってスクランブルされたPDCCHがデスクランブルされて正常に受信される場合に、尚且つダウンリンクスケジューリング情報で指示されたPDSCHで運ばれるC−RNTIがユーザー機器のC−RNTIと同じであると判断される場合に、基地局によって送信される肯定応答／否定応答情報をダウンリンクスケジューリング情報で指示されたPDSCHで取得し、あるいは
基地局によって送信されるダウンリンクスケジューリング情報をスクランブルされたPDCCHを使って受信し、尚且つC−RNTIを使ってスクランブルされたPDCCHがデスクランブルされて正常に受信される場合に、基地局によって送信される肯定応答／否定応答情報をダウンリンクスケジューリング情報で指示されたPDSCHで取得し、あるいは
基地局によって送信される物理HARQ指示チャネルPHICHを受信し、尚且つPHICHに対応するC−RNTIがユーザー機器のC−RNTIと同じであると判断される場合に、基地局によって送信される肯定応答／否定応答情報をPHICHから取得するよう具体的に構成される。
【００２５】
本発明の第4の態様によると、データ伝送装置が提供され、データ伝送装置は基地局装置であり、データ伝送装置は
ユーザー機器のために共通アップリンクスケジューリング情報を構成するよう構成された送信モジュールであって、ここで共通アップリンクスケジューリング情報は共通物理アップリンク共用チャネルPUSCHを含み、共通PUSCHは複数のユーザー機器で共用できるPUSCHを表すために使われる、送信モジュールと、
共通アップリンクスケジューリング情報を使ってユーザー機器により送信されるアップリンクデータとアップリンク制御情報とを受信するよう構成された受信モジュールであって、ここでアップリンク制御情報はユーザー機器のセル無線ネットワーク仮識別子C−RNTIを含む、受信モジュールと
を含む。
【００２６】
本発明の第5の態様によると、データ伝送装置が提供され、データ伝送装置は、
基地局へアップリンクデータを送信する必要がある場合に、アップリンク伝送リソースを使って基地局へ制御情報を送信するよう構成された信号送信器であって、ここで制御情報はユーザー機器の未送信データのためにアップリンクスケジューリングを遂行することを基地局に要求するために使われる、信号送信器と、
制御情報に応じて基地局から返されるアップリンクスケジューリング情報を受信するよう構成された信号受信器と
を含み、
信号送信器はアップリンクスケジューリング情報を使って基地局へアップリンクデータを送信するようさらに構成される。
【００２７】
本発明の第5の態様を参照し、第1の可能な実装様態において、制御情報はバッファステータスレポートBSRを含み、アップリンク伝送リソースは物理アップリンク制御チャネルPUCCHを含み、
信号送信器はPUCCHを使って基地局へBSRを送信するよう具体的に構成される。
【００２８】
本発明の第5の態様の第1の可能な実装様態を参照し、第2の可能な実装様態において、信号送信器は、BSRの送信に使われるPUCCHによって占められる物理リソースブロックがチャネル状態情報CSIの送信に使われるPUCCHによって占められる物理リソースブロックと同じであり、BSRの送信とCSIの送信とで伝送衝突が生じることが判明する場合に、BSR送信とCSI送信の所定送信優先順位に従って送信優先順位が高い方のBSR／CSIをPUCCHを使って基地局へ優先的に送信し、あるいは
BSRの送信に使われるPUCCHによって占められる物理リソースブロックが肯定応答／否定応答ACK／NACKの送信に使われるPUCCHによって占められる物理リソースブロックと同じであり、BSRの送信とACK／NACKの送信とで伝送衝突が生じることが判明する場合に、BSR送信とACK／NACK送信の所定送信優先順位に従って送信優先順位が高い方のBSR／ACK／NACKをPUCCHを使って基地局へ優先的に送信するよう具体的に構成される。
【００２９】
本発明の第5の態様の第1の可能な実装様態を参照し、または本発明の第5の態様の第2の可能な実装様態を参照し、第3の可能な実装様態において、PUCCHは第二形式物理アップリンク制御チャネルFormat2＿PUCCHまたは第三形式物理アップリンク制御チャネルFormat3＿PUCCHのうち、少なくとも1つ以上を含む。
【００３０】
本発明の第5の態様の第3の可能な実装様態を参照し、第4の可能な実装様態において、信号送信器は、Format3＿PUCCHを使って基地局へBSRを送信するときに、Format3＿PUCCHに対応する物理リソースブロックにアイドルビットが存在する場合に、Format3＿PUCCHを使って基地局へパケットハンドリングレポートPHRを送信するようさらに構成される。
【００３１】
本発明の第5の態様を参照し、第5の可能な実装様態において、制御情報はバッファステータスレポートBSRを含み、アップリンク伝送リソースは共通アップリンクスケジューリング情報を含み、
信号受信器は基地局によって構成される共通アップリンクスケジューリング情報を受信するようさらに構成され、ここで共通アップリンクスケジューリング情報は共通物理アップリンク共用チャネルPUSCHを含み、共通PUSCHは複数のユーザー機器で共用できるPUSCHを表すために使われ、
信号送信器は共通アップリンクスケジューリング情報を使って基地局へBSRとユーザー機器のセル無線ネットワーク仮識別子C−RNTIとを送信するよう構成される。
【００３２】
本発明の第5の態様の第5の可能な実装様態を参照し、第6の可能な実装様態において、信号受信器は基地局によって構成されるグループ無線ネットワーク仮識別子G−RNTIを受信するようさらに構成され、ここでG−RNTIは、基地局によって構成され、複数のユーザー機器によって共用される共通アップリンクスケジューリング情報に対応する、RNTIを表し、
信号受信器が制御情報に応じて基地局から返されるアップリンクスケジューリング情報を受信するよう具体的に構成されることは、
制御情報に応じて基地局によって送信されるアップリンクスケジューリング情報をスクランブルされた物理ダウンリンク制御チャネルPDCCHで受信するステップと、
G−RNTIを使ってスクランブルされたPDCCHをデスクランブルするステップと、
スクランブルされたPDCCHが正常に受信される場合に、スクランブルされたPDCCHからダウンリンクスケジューリング情報を取得するステップであって、ここでダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝える、ステップと、
PDSCHで運ばれる、アップリンクスケジューリング情報を使用する目標ユーザー機器のC−RNTIが、ユーザー機器のC−RNTIと同じであるとユーザー機器が判断する場合に、PDSCHで運ばれるアップリンクスケジューリング情報がユーザー機器のアップリンクスケジューリング情報であると判断するステップとを具体的に含む。
【００３３】
本発明の第5の態様の第5の可能な実装様態を参照し、または本発明の第5の態様の第6の可能な実装様態を参照し、第7の可能な実装様態において、信号受信器が基地局によって送信される共通アップリンクスケジューリング情報を取得するよう具体的に構成されることは、基地局によって送信される共通アップリンクスケジューリング情報をスクランブルされたPDCCHで取得するステップであって、ここでスクランブルされたPDCCHは基地局がG−RNTIを使ってPDCCHをスクランブルした後に得られる、ステップを具体的に含み、あるいは
基地局によって送信される無線リソース制御RRCシグナリングを受信するステップであって、ここでRRCシグナリングは共通アップリンクスケジューリング情報を運ぶ、ステップを具体的に含み、あるいは
基地局によって送信されるシステムメッセージを受信するステップであって、ここでシステムメッセージは共通アップリンクスケジューリング情報を運ぶ、ステップを具体的に含む。
【００３４】
本発明の第5の態様を参照し、本発明の第5の態様の第1の可能な実装様態を参照し、本発明の第5の態様の第2の可能な実装様態を参照し、本発明の第5の態様の第3の可能な実装様態を参照し、本発明の第5の態様の第4の可能な実装様態を参照し、または本発明の第5の態様の第5の可能な実装様態を参照し、第8の可能な実装様態において、信号受信器が制御情報に応じて基地局から返されるアップリンクスケジューリング情報を受信するよう具体的に構成されることは、
制御情報に応じて基地局によって送信されるアップリンクスケジューリング情報をスクランブルされた物理ダウンリンク制御チャネルPDCCHで受信するステップと、
ユーザー機器のセル無線ネットワーク仮識別子C−RNTIを使ってスクランブルされたPDCCHをデスクランブルするステップと、
スクランブルされたPDCCHが正常に受信される場合に、スクランブルされたPDCCHで運ばれるアップリンクスケジューリング情報を取得するステップとを具体的に含む。
【００３５】
本発明の第6の態様によると、データ伝送装置が提供され、データ伝送装置は、
アップリンク伝送リソースを使ってユーザー機器により送信される制御情報を受信するよう構成された信号受信器であって、ここで制御情報はユーザー機器の未送信データのためにアップリンクスケジューリングを遂行することを基地局に要求するために使われる、信号受信器と、
制御情報に従って制御情報に対応するアップリンクスケジューリング情報をユーザー機器へ送信するよう構成された信号送信器と
を含み、
信号受信器はアップリンクスケジューリング情報を使ってユーザー機器により送信されるアップリンクデータを受信するようさらに構成される。
【００３６】
本発明の第6の態様を参照し、第1の可能な実装様態において、信号受信器はユーザー機器によって送信される制御情報を物理アップリンク制御チャネルPUCCHで受信するよう具体的に構成され、ここで制御情報はバッファステータスレポートBSRを含む。
【００３７】
本発明の第6の態様を参照し、第2の可能な実装様態において、信号送信器はユーザー機器のために共通アップリンクスケジューリング情報を構成するようさらに構成され、
信号受信器は共通アップリンクスケジューリング情報を使ってユーザー機器により送信される制御情報とユーザー機器のセル無線ネットワーク仮識別子C−RNTIとを受信するよう具体的に構成され、ここで制御情報はバッファステータスレポートBSRを含む。
【００３８】
本発明の第6の態様の第2の可能な実装様態を参照し、第3の可能な実装様態において、信号送信器はユーザー機器のためにグループ無線ネットワーク仮識別子G−RNTIを構成するようさらに構成され、ここでG−RNTIは、基地局によって構成され、複数のユーザー機器によって共用される共通アップリンクスケジューリング情報に対応する、RNTIを表し、
信号送信器がユーザー機器のために共通アップリンクスケジューリング情報を構成するよう構成されることは、
G−RNTIを使って物理ダウンリンク制御チャネルPDCCHをスクランブルするステップと、スクランブルされたPDCCHを使ってユーザー機器のために共通アップリンクスケジューリング情報を構成するステップとを具体的に含み、あるいは
ユーザー機器へ無線リソース制御RRCシグナリングを送信するステップであって、ここでRRCシグナリングは共通アップリンクスケジューリング情報を運ぶ、ステップを具体的に含み、あるいは
ユーザー機器へシステムメッセージを送信するステップであって、ここでシステムメッセージは共通アップリンクスケジューリング情報を運ぶ、ステップを具体的に含む。
【００３９】
本発明の第6の態様の第2の可能な実装様態を参照し、または本発明の第6の態様の第3の可能な実装様態を参照し、第4の可能な実装様態において、信号送信器は、制御情報に従ってユーザー機器にアップリンクスケジューリング情報を割り当て、
ダウンリンクスケジューリング情報で指示された物理ダウンリンク共用チャネルPDSCHでアップリンクスケジューリング情報とユーザー機器のC−RNTIとを運び、
G−RNTIを使ってダウンリンクスケジューリング情報を運ぶ物理ダウンリンク制御チャネルPDCCHをスクランブルし、尚且つスクランブルされたPDCCHをユーザー機器へ送信するよう具体的に構成され、ここでダウンリンクスケジューリング情報はPDSCHを含む。
【００４０】
本発明の第6の態様を参照し、本発明の第6の態様の第1の可能な実装様態を参照し、本発明の第6の態様の第2の可能な実装様態を参照し、または本発明の第6の態様の第3の可能な実装様態を参照し、第5の可能な実装様態において、信号送信器は、制御情報に従ってユーザー機器にアップリンクスケジューリング情報を割り当て、
ユーザー機器のC−RNTIを使ってアップリンクスケジューリング情報を運ぶ物理ダウンリンク制御チャネルPDCCHをスクランブルし、尚且つスクランブルされたPDCCHをユーザー機器へ送信するよう具体的に構成される。
【００４１】
本発明の第7の態様によると、データ伝送装置が提供され、データ伝送装置は、
基地局によって構成される共通アップリンクスケジューリング情報を取得するよう構成された信号受信器であって、ここで共通アップリンクスケジューリング情報は共通物理アップリンク共用チャネルPUSCHを含み、共通PUSCHは複数のユーザー機器で共用できるPUSCHを表すために使われる、信号受信器と、
基地局へアップリンクデータを送信する必要がある場合に、共通アップリンクスケジューリング情報を使って基地局へアップリンクデータとアップリンク制御情報とを送信するよう構成された信号送信器であって、ここでアップリンク制御情報はユーザー機器のセル無線ネットワーク仮識別子C−RNTIを含む、信号送信器とを含む。
【００４２】
本発明の第7の態様を参照し、第1の可能な実装様態において、データ伝送装置は、
アップリンクデータとユーザー機器のセル無線ネットワーク仮識別子C−RNTIとが基地局へ送信される前に、前記アップリンクデータ以外のアップリンクデータをさらに送信する必要があると判断するよう構成された処理器をさらに含み、
信号送信器は共通アップリンクスケジューリング情報を使って基地局へアップリンクデータと、バッファステータスレポートBSRと、アップリンク制御情報とを送信するよう具体的に構成され、ここでBSRは送信済みの前記アップリンクデータ以外にも送信する必要のあるアップリンクデータがあることを伝えるバッファ情報を表すために使われる。
【００４３】
本発明の第7の態様を参照し、または本発明の第7の態様の第1の可能な実装様態を参照し、第2の可能な実装様態において、信号受信器は、基地局によって送信される肯定応答／否定応答情報を受信し、
肯定応答／否定応答情報に従って基地局へアップリンクデータを再び送信する必要があるか否かを判断するようさらに構成される。
【００４４】
本発明の第7の態様の第2の可能な実装様態を参照し、第3の可能な実装様態において、信号受信器は、基地局によって送信されるダウンリンクスケジューリング情報をスクランブルされたPDCCHで受信し、尚且つG−RNTIを使ってスクランブルされたPDCCHがデスクランブルされて正常に受信される場合に、尚且つダウンリンクスケジューリング情報で指示されたPDSCHで運ばれるC−RNTIがユーザー機器のC−RNTIと同じであると判断される場合に、基地局によって送信される肯定応答／否定応答情報をダウンリンクスケジューリング情報で指示されたPDSCHで取得し、あるいは
基地局によって送信されるダウンリンクスケジューリング情報をスクランブルされたPDCCHを使って受信し、尚且つC−RNTIを使ってスクランブルされたPDCCHがデスクランブルされて正常に受信される場合に、基地局によって送信される肯定応答／否定応答情報をダウンリンクスケジューリング情報で指示されたPDSCHで取得し、あるいは
基地局によって送信される物理HARQ指示チャネルPHICHを受信し、尚且つPHICHに対応するC−RNTIがユーザー機器のC−RNTIと同じであると判断される場合に、基地局によって送信される肯定応答／否定応答情報をPHICHから取得するよう具体的に構成される。
【００４５】
本発明の第8の態様によると、データ伝送装置が提供され、データ伝送装置は、
ユーザー機器のために共通アップリンクスケジューリング情報を構成するよう構成された信号送信器であって、ここで共通アップリンクスケジューリング情報は共通物理アップリンク共用チャネルPUSCHを含み、共通PUSCHは複数のユーザー機器で共用できるPUSCHを表すために使われる、信号送信器と、
共通アップリンクスケジューリング情報を使ってユーザー機器により送信されるアップリンクデータとアップリンク制御情報とを受信するよう構成された信号受信器であって、ここでアップリンク制御情報はユーザー機器のセル無線ネットワーク仮識別子C−RNTIを含む、信号受信器とを含む。
【００４６】
本発明の第9の態様によると、データ伝送方法が提供され、データ伝送方法は、
基地局へアップリンクデータを送信する必要がある場合に、ユーザー機器により、アップリンク伝送リソースを使って基地局へ制御情報を送信するステップであって、ここで制御情報はユーザー機器の未送信データのためにアップリンクスケジューリングを遂行することを基地局に要求するために使われる、ステップと、
ユーザー機器により、制御情報に応じて基地局から返されるアップリンクスケジューリング情報を受信するステップと、
ユーザー機器により、アップリンクスケジューリング情報を使って基地局へアップリンクデータを送信するステップとを含む。
【００４７】
本発明の第9の態様を参照し、第1の可能な実装様態において、制御情報はバッファステータスレポートBSRを含み、アップリンク伝送リソースは物理アップリンク制御チャネルPUCCHを含み、
アップリンク伝送リソースを使って基地局へ制御情報を送信するステップは、
ユーザー機器により、PUCCHを使って基地局へBSRを送信するステップを含む。
【００４８】
本発明の第9の態様の第1の可能な実装様態を参照し、第2の可能な実装様態において、ユーザー機器により、PUCCHを使って基地局へBSRを送信するステップは、
BSRの送信に使われるPUCCHによって占められる物理リソースブロックがチャネル状態情報CSIの送信に使われるPUCCHによって占められる物理リソースブロックと同じであり、BSRの送信とCSIの送信とで伝送衝突が生じることが判明する場合に、ユーザー機器により、BSR送信とCSI送信の所定送信優先順位に従って送信優先順位が高い方のBSR／CSIをPUCCHを使って基地局へ優先的に送信するステップを含み、あるいは
BSRの送信に使われるPUCCHによって占められる物理リソースブロックが肯定応答／否定応答ACK／NACKの送信に使われるPUCCHによって占められる物理リソースブロックと同じであり、BSRの送信とACK／NACKの送信とで伝送衝突が生じることが判明する場合に、BSR送信とACK／NACK送信の所定送信優先順位に従って送信優先順位が高い方のBSR／ACK／NACKをPUCCHを使って基地局へ優先的に送信するステップを含む。
【００４９】
本発明の第9の態様の第1の可能な実装様態を参照し、または本発明の第9の態様の第2の可能な実装様態を参照し、第3の可能な実装様態において、PUCCHは第二形式物理アップリンク制御チャネルFormat2＿PUCCHまたは第三形式物理アップリンク制御チャネルFormat3＿PUCCHのうち、少なくとも1つ以上を含む。
【００５０】
本発明の第9の態様の第3の可能な実装様態を参照し、第4の可能な実装様態において、方法は、
Format3＿PUCCHを使って基地局へBSRを送信するときに、Format3＿PUCCHに対応する物理リソースブロックにアイドルビットが存在する場合に、ユーザー機器により、Format3＿PUCCHを使って基地局へパケットハンドリングレポートPHRを送信するステップをさらに含む。
【００５１】
本発明の第9の態様を参照し、第5の可能な実装様態において、制御情報はバッファステータスレポートBSRを含み、アップリンク伝送リソースは共通アップリンクスケジューリング情報を含み、
アップリンク伝送リソースを使って基地局へ制御情報を送信するステップは、
ユーザー機器により、基地局によって構成される共通アップリンクスケジューリング情報を受信するステップであって、ここで共通アップリンクスケジューリング情報は共通物理アップリンク共用チャネルPUSCHを含み、共通PUSCHは複数のユーザー機器で共用できるPUSCHを表すために使われる、ステップと、
ユーザー機器により、共通アップリンクスケジューリング情報を使って基地局へBSRとユーザー機器のセル無線ネットワーク仮識別子C−RNTIとを送信するステップとを含む。
【００５２】
本発明の第9の態様の第5の可能な実装様態を参照し、第6の可能な実装様態において、方法は、
ユーザー機器により、基地局によって構成されるグループ無線ネットワーク仮識別子G−RNTIを受信するステップをさらに含み、ここでG−RNTIは、基地局によって構成され、複数のユーザー機器によって共用される共通アップリンクスケジューリング情報に対応する、RNTIを表し、
ユーザー機器により、制御情報に応じて基地局から返されるアップリンクスケジューリング情報を受信するステップは、
ユーザー機器により、制御情報に応じて基地局によって送信されるアップリンクスケジューリング情報をスクランブルされた物理ダウンリンク制御チャネルPDCCHで受信するステップと、
ユーザー機器により、G−RNTIを使ってスクランブルされたPDCCHをデスクランブルするステップと、
スクランブルされたPDCCHを正常に受信する場合に、ユーザー機器により、スクランブルされたPDCCHからダウンリンクスケジューリング情報を取得するステップであって、ここでダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝える、ステップと、
PDSCHで運ばれる、アップリンクスケジューリング情報を使用する目標ユーザー機器のC−RNTIが、ユーザー機器のC−RNTIと同じであると判断する場合に、ユーザー機器により、PDSCHで運ばれるアップリンクスケジューリング情報がユーザー機器のアップリンクスケジューリング情報であると判断するステップとを含む。
【００５３】
本発明の第9の態様の第5の可能な実装様態を参照し、または本発明の第9の態様の第6の可能な実装様態を参照し、第7の可能な実装様態において、ユーザー機器により、基地局によって送信される共通アップリンクスケジューリング情報を取得するステップは、
ユーザー機器により、基地局によって送信される共通アップリンクスケジューリング情報をスクランブルされたPDCCHで取得するステップであって、ここでスクランブルされたPDCCHは基地局がG−RNTIを使ってPDCCHをスクランブルした後に得られる、ステップを含み、あるいは
ユーザー機器により、基地局によって送信される無線リソース制御RRCシグナリングを受信するステップであって、ここでRRCシグナリングは共通アップリンクスケジューリング情報を運ぶ、ステップを含み、あるいは
ユーザー機器により、基地局によって送信されるシステムメッセージを受信するステップであって、ここでシステムメッセージは共通アップリンクスケジューリング情報を運ぶ、ステップを含む。
【００５４】
本発明の第9の態様を参照し、本発明の第9の態様の第1の可能な実装様態を参照し、本発明の第9の態様の第2の可能な実装様態を参照し、本発明の第9の態様の第3の可能な実装様態を参照し、本発明の第9の態様の第4の可能な実装様態を参照し、または本発明の第9の態様の第5の可能な実装様態を参照し、第8の可能な実装様態において、ユーザー機器により、制御情報に応じて基地局から返されるアップリンクスケジューリング情報を受信するステップは、
ユーザー機器により、制御情報に応じて基地局によって送信されるアップリンクスケジューリング情報をスクランブルされた物理ダウンリンク制御チャネルPDCCHで受信するステップと、
ユーザー機器により、ユーザー機器のセル無線ネットワーク仮識別子C−RNTIを使ってスクランブルされたPDCCHをデスクランブルするステップと、
スクランブルされたPDCCHを正常に受信する場合に、ユーザー機器により、スクランブルされたPDCCHで運ばれるアップリンクスケジューリング情報を取得するステップとを含む。
【００５５】
本発明の第10の態様によると、データ伝送方法が提供され、データ伝送方法は、
基地局により、アップリンク伝送リソースを使ってユーザー機器により送信される制御情報を受信するステップであって、ここで制御情報はユーザー機器の未送信データのためにアップリンクスケジューリングを遂行することを基地局に要求するために使われる、ステップと、
基地局により、制御情報に従ってユーザー機器へ制御情報に対応するアップリンクスケジューリング情報を送信するステップと、
基地局により、アップリンクスケジューリング情報を使ってユーザー機器により送信されるアップリンクデータを受信するステップとを含む。
【００５６】
本発明の第10の態様を参照し、第1の可能な実装様態において、基地局により、アップリンク伝送リソースを使ってユーザー機器により送信される制御情報を受信するステップは、
基地局により、ユーザー機器によって送信される制御情報を物理アップリンク制御チャネルPUCCHで受信するステップを含み、ここで制御情報はバッファステータスレポートBSRを含む。
【００５７】
本発明の第10の態様を参照し、第2の可能な実装様態において、方法は、
基地局により、ユーザー機器のために共通アップリンクスケジューリング情報を構成するステップをさらに含み、
基地局により、アップリンク伝送リソースを使ってユーザー機器により送信される制御情報を受信するステップは、
基地局により、共通アップリンクスケジューリング情報を使ってユーザー機器により送信される制御情報とユーザー機器のセル無線ネットワーク仮識別子C−RNTIとを受信するステップを含み、ここで制御情報はバッファステータスレポートBSRを含む。
【００５８】
本発明の第10の態様の第2の可能な実装様態を参照し、第3の可能な実装様態において、方法は、
基地局により、ユーザー機器のためにグループ無線ネットワーク仮識別子G−RNTIを構成するステップをさらに含み、ここでG−RNTIは、基地局によって構成され、複数のユーザー機器によって共用される共通アップリンクスケジューリング情報に対応する、RNTIを表し、
基地局により、ユーザー機器のために共通アップリンクスケジューリング情報を送信するステップは、
基地局により、G−RNTIを使って物理ダウンリンク制御チャネルPDCCHをスクランブルするステップと、スクランブルされたPDCCHを使ってユーザー機器のために共通アップリンクスケジューリング情報を構成するステップとを含み、あるいは
基地局により、ユーザー機器へ無線リソース制御RRCシグナリングを送信するステップであって、ここでRRCシグナリングは共通アップリンクスケジューリング情報を運ぶ、ステップを含み、あるいは
基地局により、ユーザー機器へシステムメッセージを送信するステップであって、ここでシステムメッセージは共通アップリンクスケジューリング情報を運ぶ、ステップを含む。
【００５９】
本発明の第10の態様の第2の可能な実装様態を参照し、または本発明の第10の態様の第3の可能な実装様態を参照し、第4の可能な実装様態において、基地局により、制御情報に従ってユーザー機器へ制御情報に対応するアップリンクスケジューリング情報を送信するステップは、
基地局により、制御情報に従ってユーザー機器にアップリンクスケジューリング情報を割り当てるステップと、
基地局により、ダウンリンクスケジューリング情報で指示された物理ダウンリンク共用チャネルPDSCHでアップリンクスケジューリング情報とユーザー機器のC−RNTIとを運ぶステップと、
G−RNTIを使ってダウンリンクスケジューリング情報を運ぶ物理ダウンリンク制御チャネルPDCCHをスクランブルするステップと、スクランブルされたPDCCHをユーザー機器へ送信するステップとを含み、ここでダウンリンクスケジューリング情報はPDSCHを指示する。
【００６０】
本発明の第10の態様を参照し、本発明の第10の態様の第1の可能な実装様態を参照し、本発明の第10の態様の第2の可能な実装様態を参照し、または本発明の第10の態様の第3の可能な実装様態を参照し、第5の可能な実装様態において、基地局により、制御情報に従ってユーザー機器へ制御情報に対応するアップリンクスケジューリング情報を送信するステップは、
基地局により、制御情報に従ってユーザー機器にアップリンクスケジューリング情報を割り当てるステップと、
基地局により、ユーザー機器のC−RNTIを使ってアップリンクスケジューリング情報を運ぶ物理ダウンリンク制御チャネルPDCCHをスクランブルするステップと、スクランブルされたPDCCHをユーザー機器へ送信するステップとを含む。
【００６１】
本発明の実施形態で、基地局へアップリンクデータを送信する必要がある場合に、ユーザー機器はアップリンク伝送リソースを使って基地局へ制御情報を送信し、ここで制御情報はユーザー機器の未送信データのためにアップリンクスケジューリングを遂行することを基地局に要求するために使われ、ユーザー機器は制御情報に応じて基地局から返されるアップリンクスケジューリング情報を受信し、アップリンクスケジューリング情報を使って基地局へアップリンクデータを送信する。このように、ユーザー機器が基地局へアップリンクデータを送信する必要があるにもかかわらず、基地局がユーザー機器の未送信データのためにアップリンクスケジューリングに着手していない場合でも、ユーザー機器はアップリンク伝送リソースを使って制御情報を直接送信し、基地局からアップリンクスケジューリング情報を速やかに取得し、アップリンクスケジューリング情報を使って基地局へアップリンクデータを送信する。これによりユーザー機器と基地局との間で制御情報を送信する手順を簡素化でき、データ伝送遅延は減らされ、システム性能は高められる。
【００６２】
本発明の第11の態様によると、データ伝送方法が提供され、データ伝送方法は、
ユーザー機器により、基地局によって構成される共通アップリンクスケジューリング情報を取得するステップであって、ここで共通アップリンクスケジューリング情報は共通物理アップリンク共用チャネルPUSCHを含み、共通PUSCHは複数のユーザー機器で共用できるPUSCHを表すために使われる、ステップと、
基地局へアップリンクデータを送信する必要がある場合に、ユーザー機器により、共通アップリンクスケジューリング情報を使って基地局へアップリンクデータとアップリンク制御情報とを送信するステップであって、ここでアップリンク制御情報はユーザー機器のセル無線ネットワーク仮識別子C−RNTIを含む、ステップとを含む。
【００６３】
本発明の第11の態様を参照し、第1の可能な実装様態において、ユーザー機器が基地局へアップリンクデータとユーザー機器のセル無線ネットワーク仮識別子C−RNTIとを送信する前に、方法は、
前記アップリンクデータ以外のアップリンクデータをさらに送信する必要があると判断するステップをさらに含み、
ユーザー機器により、共通アップリンクスケジューリング情報を使って基地局へアップリンクデータとユーザー機器のセル無線ネットワーク仮識別子C−RNTIとを送信するステップは、
ユーザー機器により、共通アップリンクスケジューリング情報を使って基地局へアップリンクデータと、バッファステータスレポートBSRと、アップリンク制御情報とを送信するステップを含み、ここでBSRは送信済みの前記アップリンクデータ以外にも送信する必要のあるアップリンクデータがあることを伝えるバッファ情報を表すために使われる。
【００６４】
本発明の第11の態様を参照し、または本発明の第11の態様の第1の可能な実装様態を参照し、第2の可能な実装様態において、方法は、
ユーザー機器により、基地局によって送信される肯定応答／否定応答情報を受信するステップと、
肯定応答／否定応答情報に従って基地局へアップリンクデータを再び送信する必要があるか否かを判断するステップとをさらに含む。
【００６５】
本発明の第11の態様の第2の可能な実装様態を参照し、第3の可能な実装様態において、ユーザー機器により、基地局によって送信される肯定応答／否定応答情報を受信するステップは、
ユーザー機器により、基地局によって送信されるダウンリンクスケジューリング情報をスクランブルされたPDCCHで受信するステップと、G−RNTIを使ってスクランブルされたPDCCHをデスクランブルしてスクランブルされたPDCCHを正常に受信する場合に、尚且つダウンリンクスケジューリング情報で指示されたPDSCHで運ばれるC−RNTIがユーザー機器のC−RNTIと同じであると判断する場合に、基地局によって送信される肯定応答／否定応答情報をダウンリンクスケジューリング情報で指示されたPDSCHで取得するステップとを含み、あるいは
ユーザー機器により、基地局によって送信されるダウンリンクスケジューリング情報をスクランブルされたPDCCHを使って受信するステップと、C−RNTIを使ってスクランブルされたPDCCHをデスクランブルしてスクランブルされたPDCCHを正常に受信する場合に、基地局によって送信される肯定応答／否定応答情報をダウンリンクスケジューリング情報で指示されたPDSCHで取得するステップとを含み、あるいは
ユーザー機器により、基地局によって送信される物理HARQ指示チャネルPHICHを受信するステップと、PHICHに対応するC−RNTIがユーザー機器のC−RNTIと同じであると判断する場合に、基地局によって送信される肯定応答／否定応答情報をPHICHから取得するステップとを含む。
【００６６】
本発明の第12の態様によると、データ伝送方法が提供され、データ伝送方法は、
基地局により、ユーザー機器のために共通アップリンクスケジューリング情報を構成するステップであって、ここで共通アップリンクスケジューリング情報は共通物理アップリンク共用チャネルPUSCHを含み、共通PUSCHは複数のユーザー機器で共用できるPUSCHを表すために使われる、ステップと、
基地局により、共通アップリンクスケジューリング情報を使ってユーザー機器により送信されるアップリンクデータとアップリンク制御情報とを受信するステップであって、ここでアップリンク制御情報はユーザー機器のセル無線ネットワーク仮識別子C−RNTIを含む、ステップとを含む。
【００６７】
本発明の実装様態で、ユーザー機器は基地局によって構成される共通アップリンクスケジューリング情報を取得し、ここで共通アップリンクスケジューリング情報は共通物理アップリンク共用チャネルPUSCHを含み、共通PUSCHは複数のユーザー機器で共用できるPUSCHを表すために使われ、ユーザー機器は、基地局へアップリンクデータを送信する必要がある場合に、共通アップリンクスケジューリング情報を使って基地局へアップリンクデータとアップリンク制御情報とを送信する。このように、基地局へアップリンクデータを送信する必要がある場合に、ユーザー機器は取得した共通アップリンクスケジューリング情報を使って基地局へアップリンクデータを送信する。これによりユーザー機器と基地局との間で制御情報を送信する伝送手順がさらに省かれ、データ伝送遅延は減らされ、システム性能は高められる。
【００６８】
本発明の実施形態の技術的解決手段をより明確に説明するため、これ以降は実施形態の説明に必要な添付の図面を簡潔に説明する。当然ながら、ここで説明する添付の図面は本発明のいくつかの実施形態を示すもに過ぎず、当業者なら創造的な取り組みをせずとも添付の図面をもとにして別の図面を作り出すことができる。
【図面の簡単な説明】
【００６９】
【図１】本発明の一実施形態によるデータ伝送装置の概略構造図である。
【図２】本発明の一実施形態によるデータ伝送装置の概略構造図である。
【図３】本発明の一実施形態によるデータ伝送装置の概略構造図である。
【図４】本発明の一実施形態によるデータ伝送装置の概略構造図である。
【図５】本発明の一実施形態によるデータ伝送装置の概略構造図である。
【図６】本発明の一実施形態によるデータ伝送装置の概略構造図である。
【図７】本発明の一実施形態によるデータ伝送装置の概略構造図である。
【図８】本発明の一実施形態によるデータ伝送装置の概略構造図である。
【図９】本発明の一実施形態によるデータ伝送方法の概略流れ図である。
【図１０】本発明の一実施形態によるデータ伝送方法の概略流れ図である。
【図１１】本発明の一実施形態によるデータ伝送方法の概略流れ図である。
【図１２】本発明の一実施形態によるデータ伝送方法の概略流れ図である。
【発明を実施するための形態】
【００７０】
本発明の目的を達成するため、本発明の実施形態はデータ伝送方法および装置を提供する。先行技術で、ユーザー機器が基地局へアップリンクデータを送信する必要があるときに、基地局がユーザー機器の未送信データのためにアップリンクスケジューリングに着手していなければ、ユーザー機器は基地局へアップリンクデータを送信できない。そこで、第一に、ユーザー機器は基地局へスケジューリングリクエスト（英語：Scheduling Request、略してSR）を送信し、第二に、ユーザー機器は基地局によって送り返され制御情報の送信に使われるスケジューリングリソースを受信し、第三に、ユーザー機器はスケジューリングリソースを使って基地局へ制御情報を送信し、第四に、ユーザー機器は制御情報に基づいて基地局から送り返されアップリンクデータの送信に使われるアップリンクスケジューリング情報を受信し、最後に、ユーザー機器は前記の通りに取得したアップリンクスケジューリング情報を使って基地局へアップリンクデータを送信する。このように、ユーザー機器と基地局との間で小さいバーストデータパケットサービスが伝送される際に、スケジューリングリソースを要求して取得するのにかかる時間はアップリンクデータ伝送時間より長くなる。
【００７１】
前述した問題を解決するため、ユーザー機器が基地局装置へアップリンクデータを送信する必要があるにもかかわらず、基地局がユーザー機器の未送信データのためにアップリンクスケジューリングに着手していない場合に、第1の解決手段が提案され、第1の解決手段では、アップリンク伝送リソースを使って制御情報が送信され、その後基地局からアップリンクスケジューリング情報が取得され、取得されたアップリンクスケジューリング情報を使って基地局へアップリンクデータが送信される。第2の解決手段も提案され、第2の解決手段では、基地局によって構成される共通アップリンクスケジューリング情報を使って基地局へアップリンクデータが送信される。2つの解決手段によってユーザー機器と基地局とのアップリンクデータ伝送手順が簡素化され、これによりデータ伝送遅延は減らされ、システム性能は高められる。
【００７２】
尚、本発明の実施形態に関わるC−RNTI（Cell−Radio Network Temporary Identifier）は、基地局からユーザー機器に割り当てられるユーザー機器に固有のセル無線ネットワーク仮識別子である。それぞれのユーザー機器が一意なC−RNTIを持つことにより、基地局はC−RNTIに従ってユーザー機器を識別できる。ユーザー機器のセル無線ネットワーク仮識別子C−RNTIはユーザー機器を一意に指示できる何らかの識別子を指し、従来のC−RNTIであってよく、あるいはユーザー機器を一意に指示する別の識別子であってもよい。これはここで具体的に限定されない。
【００７３】
本明細書で説明されるデータ伝送解決手段はロングタームエボリューション（英語：Long Term Evolution、略してLTE）システムやこの種の別の通信システムに応用されてよい。
【００７４】
本明細書ではユーザー機器および／または基地局に言及しながら説明を行う。
【００７５】
ユーザー機器は端末装置と呼ばれることもあり、無線端末であってよく、あるいは有線端末であってもよい。無線端末はユーザーに音声および／またはデータ接続を提供する装置や、無線接続機能を有する手持ち型装置や、無線モデムに接続される別の処理装置を指すことがある。
【００７６】
無線端末は無線アクセスネットワーク（略してRAN）を使って1つ以上の中核ネットワークと通信できる。無線端末は携帯電話機（「セル方式」電話機とも呼ばれる）やモバイル端末を有するコンピュータといったモバイル端末であってよく、例えば無線アクセスネットワークと音声および／またはデータをやり取りする可搬型、ポケットサイズ、手持ち型、コンピュータ内蔵型、または車載型のモバイル機器であってよい。例えば、無線端末は、パーソナル通信サービス（略してPCS）電話機、コードレス電話機、セッション初期化プロトコル（略してSIP）電話機、無線ローカルループ（略してWLL）ステーション、パーソナルデジタルアシスタント（略してPDA）等の装置であってよい。無線端末は、システム、加入者ユニット（略してSU）、加入者ステーション（略してSS）、モバイルステーション（略してMB）、モバイルステーション（Mobile）、リモートステーション（略してRS）、アクセスポイント（略してAP）、リモート端末（略してRT）、アクセス端末（略してAT）、ユーザー端末（略してUT）、ユーザーエージェント（略してUA）、端末装置（略してUD）、またはユーザー機器（略してUE）と呼ばれることもある。
【００７７】
基地局（例えばアクセスポイント）は、アクセスネットワークの中にあって1つ以上のセクターを使用しエアインターフェースを介して無線端末と通信する装置を指すことがある。基地局装置はエアインターフェースの属性管理を調整することもある。例えば、基地局装置はLTEのエボルブドNodeB（略してeNBまたはe−NodeB）であってよい。これは本願で限定されない。
【００７８】
尚、本発明の実施形態で説明する基地局は基地局装置であってよく、あるいは中継装置であってよく、あるいは基地局機能を有する別のネットワーク構成要素装置であってもよい。
【００７９】
本明細書における用語「および／または」は専ら関連する物の関係を表すものであり、3つの関係があり得ることを意味する。例えば、Aおよび／またはBは、3つのケースを、すなわちAのみ存在するケースと、AとBの両方が存在するケースと、Bのみ存在するケースとを意味し得る。加えて、本明細書における文字「／」は関連する物の「または」関係を通常意味する。
【００８０】
これ以降は添付の図面を参照しながら本発明の実施形態を詳しく説明する。言うまでもなく、説明する実施形態は本発明の実施形態の全てではなく一部に過ぎない。創造的な取り組みをせずとも本発明の実施形態をもとに当業者によって考案される他の実施形態はいずれも本発明の保護範囲内に入る。
【００８１】
図1に見られるように、図1は本発明の一実施形態によるデータ伝送装置の概略構造図である。データ伝送装置は送信モジュール11と受信モジュール12とを含む。
【００８２】
送信モジュール11は、基地局へアップリンクデータを送信する必要がある場合に、アップリンク伝送リソースを使って基地局へ制御情報を送信するよう構成される。制御情報はユーザー機器の未送信データのためにアップリンクスケジューリングを遂行することを基地局に要求するために使われる。
【００８３】
受信モジュール12は送信モジュール11によって送信された制御情報に応じて基地局から返されるアップリンクスケジューリング情報を受信するよう構成される。
【００８４】
送信モジュール11は受信モジュール12によって受信されたアップリンクスケジューリング情報を使って基地局へアップリンクデータを送信するようさらに構成される。
【００８５】
具体的に述べると、制御情報はバッファステータスレポートBSRを含み、アップリンク伝送リソースは物理アップリンク制御チャネルPUCCHを含む。
【００８６】
送信モジュール11はPUCCHを使って基地局へBSRを送信するよう具体的に構成される。
【００８７】
具体的に述べると、送信モジュール11は、BSRの送信に使われるPUCCHによって占められる物理リソースブロックがチャネル状態情報CSIの送信に使われるPUCCHによって占められる物理リソースブロックと同じであり、BSRの送信とCSIの送信とで伝送衝突が生じることが判明する場合に、BSR送信とCSI送信の所定送信優先順位に従って送信優先順位が高い方のBSR／CSIをPUCCHを使って基地局へ優先的に送信し、あるいは
BSRの送信に使われるPUCCHによって占められる物理リソースブロックが肯定応答／否定応答ACK／NACKの送信に使われるPUCCHによって占められる物理リソースブロックと同じであり、BSRの送信とACK／NACKの送信とで伝送衝突が生じることが判明する場合に、BSR送信とACK／NACK送信の所定送信優先順位に従って送信優先順位が高い方のBSR／ACK／NACKをPUCCHを使って基地局へ優先的に送信するよう具体的に構成される。
【００８８】
任意に選べることとして、PUCCHは第二形式物理アップリンク制御チャネルFormat2＿PUCCHまたは第三形式物理アップリンク制御チャネルFormat3＿PUCCHのうち、少なくとも1つ以上を含む。
【００８９】
任意に選べることとして、送信モジュール11は、Format3＿PUCCHを使って基地局へBSRを送信するときに、Format3＿PUCCHに対応する物理リソースブロックにアイドルビットが存在する場合に、Format3＿PUCCHを使って基地局へパケットハンドリングレポートPHRを送信するようさらに構成される。
【００９０】
具体的に述べると、制御情報はバッファステータスレポートBSRを含み、アップリンク伝送リソースは共通アップリンクスケジューリング情報を含む。
【００９１】
受信モジュール12は基地局によって構成される共通アップリンクスケジューリング情報を受信するようさらに構成される。共通アップリンクスケジューリング情報は共通物理アップリンク共用チャネルPUSCHを含み、共通PUSCHは複数のユーザー機器で共用できるPUSCHを表すために使われる。
【００９２】
送信モジュール11は受信モジュールによって受信された共通アップリンクスケジューリング情報を使ってBSRとユーザー機器のセル無線ネットワーク仮識別子C−RNTIとを基地局へ送信するよう具体的に構成される。
【００９３】
具体的に述べると、受信モジュール12は基地局によって構成されるグループ無線ネットワーク仮識別子G−RNTIを受信するようさらに構成される。G−RNTIは、基地局によって構成され、複数のユーザー機器によって共用される共通アップリンクスケジューリング情報に対応する、RNTIを表す。
【００９４】
受信モジュール12は、制御情報に応じて基地局によって送信されるアップリンクスケジューリング情報をスクランブルされた物理ダウンリンク制御チャネルPDCCHで受信し、
G−RNTIを使ってスクランブルされたPDCCHをデスクランブルし、
スクランブルされたPDCCHが正常に受信される場合に、スクランブルされたPDCCHからダウンリンクスケジューリング情報を取得するよう具体的に構成され、ここでダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝え、
PDSCHで運ばれる、アップリンクスケジューリング情報を使用する目標ユーザー機器のC−RNTIが、ユーザー機器のC−RNTIと同じであると判断される場合に、PDSCHで運ばれるアップリンクスケジューリング情報がユーザー機器のアップリンクスケジューリング情報であると判断するよう具体的に構成される。
【００９５】
具体的に述べると、受信モジュール12は、基地局によって送信される共通アップリンクスケジューリング情報をスクランブルされたPDCCHで取得するよう具体的に構成され、ここでスクランブルされたPDCCHは基地局がG−RNTIを使ってPDCCHをスクランブルした後に得られ、あるいは
基地局によって送信される無線リソース制御RRCシグナリングを受信するよう具体的に構成され、ここでRRCシグナリングは共通アップリンクスケジューリング情報を運び、あるいは
基地局によって送信されるシステムメッセージを受信するよう具体的に構成され、ここでシステムメッセージは共通アップリンクスケジューリング情報を運ぶ。
【００９６】
具体的に述べると、受信モジュール12は、制御情報に応じて基地局によって送信されるアップリンクスケジューリング情報をスクランブルされた物理ダウンリンク制御チャネルPDCCHで受信し、
ユーザー機器のセル無線ネットワーク仮識別子C−RNTIを使ってスクランブルされたPDCCHをデスクランブルし、
スクランブルされたPDCCHが正常に受信される場合に、スクランブルされたPDCCHで運ばれるアップリンクスケジューリング情報を取得するよう具体的に構成される。
【００９７】
尚、本発明の本実施形態で説明されているデータ伝送装置は本発明の実施形態で図9から図12に示されている機能を有し、ユーザー機器であってよく、あるいはモバイル端末であってもよい。これはここで具体的に限定されない。
【００９８】
本発明の本実施形態で説明されているデータ伝送装置はハードウェア様態で実装されてよく、あるいはソフトウェア様態で実装されてもよく、実装様態はここで限定されない。
【００９９】
基地局へアップリンクデータを送信する必要がある場合に、データ伝送装置はアップリンク伝送リソースを使って基地局へ制御情報を送信し、ここで制御情報はユーザー機器の未送信データのためにアップリンクスケジューリングを遂行することを基地局に要求するために使われ、データ伝送装置は制御情報に応じて基地局から返されるアップリンクスケジューリング情報を受信し、アップリンクスケジューリング情報を使って基地局へアップリンクデータを送信する。このように、ユーザー機器が基地局へアップリンクデータを送信する必要があるにもかかわらず、基地局がユーザー機器の未送信データのためにアップリンクスケジューリングに着手していない場合でも、ユーザー機器はアップリンク伝送リソースを使って制御情報を直接送信し、基地局からアップリンクスケジューリング情報を速やかに取得し、アップリンクスケジューリング情報を使って基地局へアップリンクデータを送信する。これによりユーザー機器と基地局との間で制御情報を送信する手順を簡素化でき、データ伝送遅延は減らされ、システム性能は高められる。
【０１００】
図2に見られるように、図2は本発明の一実施形態によるデータ伝送装置の概略構造図である。データ伝送装置は受信モジュール21と送信モジュール22とを含む。
【０１０１】
受信モジュール21はアップリンク伝送リソースを使ってユーザー機器により送信される制御情報を受信するよう構成される。制御情報はユーザー機器の未送信データのためにアップリンクスケジューリングを遂行することを基地局に要求するために使われる。
【０１０２】
送信モジュール22は受信モジュール21によって受信された制御情報に従って制御情報に対応するアップリンクスケジューリング情報をユーザー機器へ送信するよう構成される。
【０１０３】
受信モジュール21はアップリンクスケジューリング情報を使ってユーザー機器により送信されるアップリンクデータを受信するようさらに構成される。
【０１０４】
具体的に述べると、受信モジュール21はユーザー機器によって送信される制御情報を物理アップリンク制御チャネルPUCCHで受信するよう具体的に構成される。制御情報はバッファステータスレポートBSRを含む。
【０１０５】
任意に選べることとして、送信モジュール22はユーザー機器のために共通アップリンクスケジューリング情報を構成するようさらに構成される。
【０１０６】
受信モジュール21は共通アップリンクスケジューリング情報を使ってユーザー機器により送信される制御情報とユーザー機器のセル無線ネットワーク仮識別子C−RNTIとを受信するよう具体的に構成される。制御情報はバッファステータスレポートBSRを含む。
【０１０７】
任意に選べることとして、送信モジュール22はユーザー機器のためにグループ無線ネットワーク仮識別子G−RNTIを構成するようさらに構成される。G−RNTIは、基地局によって構成され、複数のユーザー機器によって共用される共通アップリンクスケジューリング情報に対応する、RNTIを表す。
【０１０８】
送信モジュール22は、G−RNTIを使って物理ダウンリンク制御チャネルPDCCHをスクランブルし、尚且つスクランブルされたPDCCHを使ってユーザー機器のために共通アップリンクスケジューリング情報を構成するよう具体的に構成され、あるいは
ユーザー機器へ無線リソース制御RRCシグナリングを送信するよう具体的に構成され、ここでRRCシグナリングは共通アップリンクスケジューリング情報を運び、あるいは
ユーザー機器へシステムメッセージを送信するよう具体的に構成され、ここでシステムメッセージは共通アップリンクスケジューリング情報を運ぶ。
【０１０９】
具体的に述べると、送信モジュール22は、制御情報に従ってユーザー機器にアップリンクスケジューリング情報を割り当て、
ダウンリンクスケジューリング情報で指示された物理ダウンリンク共用チャネルPDSCHでアップリンクスケジューリング情報とユーザー機器のC−RNTIとを運び、
G−RNTIを使ってダウンリンクスケジューリング情報を運ぶ物理ダウンリンク制御チャネルPDCCHをスクランブルし、尚且つスクランブルされたPDCCHをユーザー機器へ送信するよう具体的に構成され、ここでダウンリンクスケジューリング情報はPDSCHを含む。
【０１１０】
具体的に述べると、送信モジュール22は、制御情報に従ってユーザー機器にアップリンクスケジューリング情報を割り当て、
ユーザー機器のC−RNTIを使ってアップリンクスケジューリング情報を運ぶ物理ダウンリンク制御チャネルPDCCHをスクランブルし、尚且つスクランブルされたPDCCHをユーザー機器へ送信するよう具体的に構成される。
【０１１１】
尚、本発明の本実施形態で説明されているデータ伝送装置は本発明の実施形態で図9から図12に示されている機能を有し、基地局であってよい。これはここで具体的に限定されない。
【０１１２】
本発明の本実施形態で説明されているデータ伝送装置はハードウェア様態で実装されてよく、あるいはソフトウェア様態で実装されてもよく、実装様態はここで限定されない。
【０１１３】
図3に見られるように、図3は本発明の実施形態によるデータ伝送装置の概略構造図である。データ伝送装置は取得モジュール31と送信モジュール32とを含む。
【０１１４】
取得モジュール31は基地局によって構成される共通アップリンクスケジューリング情報を取得するよう構成される。共通アップリンクスケジューリング情報は共通物理アップリンク共用チャネルPUSCHを含み、共通PUSCHは複数のユーザー機器で共用できるPUSCHを表すために使われる。
【０１１５】
送信モジュール32は、基地局へアップリンクデータを送信する必要がある場合に、取得モジュール31によって取得された共通アップリンクスケジューリング情報を使って基地局へアップリンクデータとアップリンク制御情報とを送信するよう構成される。アップリンク制御情報はユーザー機器のセル無線ネットワーク仮識別子C−RNTIを含む。
【０１１６】
任意に選べることとして、データ伝送装置は判断モジュール33をさらに含む。
【０１１７】
判断モジュール33は、アップリンクデータとユーザー機器のセル無線ネットワーク仮識別子C−RNTIとが基地局へ送信される前に、前記アップリンクデータ以外のアップリンクデータをさらに送信する必要があると判断するよう構成される。
【０１１８】
送信モジュール32は共通アップリンクスケジューリング情報を使って基地局へアップリンクデータと、バッファステータスレポートBSRと、アップリンク制御情報とを送信するよう具体的に構成される。BSRは送信済みの前記アップリンクデータ以外にも送信する必要のあるアップリンクデータがあることを伝えるバッファ情報を表すために使われる。
【０１１９】
任意に選べることとして、データ伝送装置は受信モジュール34をさらに含む。
【０１２０】
受信モジュール34は基地局によって送信される肯定応答／否定応答情報を受信し、尚且つ肯定応答／否定応答情報に従って基地局へアップリンクデータを再び送信する必要があるか否かを判断するよう構成される。
【０１２１】
具体的に述べると、受信モジュール34は、基地局によって送信されるダウンリンクスケジューリング情報をスクランブルされたPDCCHで受信し、尚且つG−RNTIを使ってスクランブルされたPDCCHがデスクランブルされて正常に受信される場合に、尚且つダウンリンクスケジューリング情報で指示されたPDSCHで運ばれるC−RNTIがユーザー機器のC−RNTIと同じであると判断される場合に、基地局によって送信される肯定応答／否定応答情報をダウンリンクスケジューリング情報で指示されたPDSCHで取得し、あるいは
基地局によって送信されるダウンリンクスケジューリング情報をスクランブルされたPDCCHを使って受信し、尚且つC−RNTIを使ってスクランブルされたPDCCHがデスクランブルされて正常に受信される場合に、基地局によって送信される肯定応答／否定応答情報をダウンリンクスケジューリング情報で指示されたPDSCHで取得し、あるいは
基地局によって送信される物理HARQ指示チャネルPHICHを受信し、尚且つPHICHに対応するC−RNTIがユーザー機器のC−RNTIと同じであると判断される場合に、基地局によって送信される肯定応答／否定応答情報をPHICHから取得するよう具体的に構成される。
【０１２２】
尚、本発明の本実施形態で説明されているデータ伝送装置は本発明の実施形態で図9から図12に示されている機能を有し、ユーザー機器であってよく、あるいはモバイル端末であってもよい。これはここで具体的に限定されない。
【０１２３】
本発明の本実施形態で説明されているデータ伝送装置はハードウェア様態で実装されてよく、あるいはソフトウェア様態で実装されてもよく、実装様態はここで限定されない。
【０１２４】
データ伝送装置は基地局によって構成される共通アップリンクスケジューリング情報を取得する。基地局へアップリンクデータを送信する必要がある場合に、データ伝送装置は共通アップリンクスケジューリング情報を使って基地局へアップリンクデータとアップリンク制御情報とを送信する。このように、ユーザー機器は共通アップリンクスケジューリング情報を使って基地局へアップリンクデータを送信する。前述した実装様態と比べて、これによりユーザー機器と基地局との間で制御情報を送信する伝送手順がさらに省かれ、データ伝送遅延は減らされ、システム性能は高められる。
【０１２５】
図4に見られるように、図4は本発明の一実施形態によるデータ伝送装置の概略構造図である。データ伝送装置は送信モジュール41と受信モジュール42とを含む。
【０１２６】
送信モジュール41はユーザー機器のために共通アップリンクスケジューリング情報を構成するよう構成される。共通アップリンクスケジューリング情報は共通物理アップリンク共用チャネルPUSCHを含み、共通PUSCHは複数のユーザー機器で共用できるPUSCHを表すために使われる。
【０１２７】
受信モジュール42は共通アップリンクスケジューリング情報を使ってユーザー機器により送信されるアップリンクデータとアップリンク制御情報とを受信するよう構成される。アップリンク制御情報はユーザー機器のセル無線ネットワーク仮識別子C−RNTIを含む。
【０１２８】
尚、本発明の本実施形態で説明されているデータ伝送装置は本発明の実施形態で図9から図12に示されている機能を有し、基地局であってよい。これはここで具体的に限定されない。
【０１２９】
本発明の本実施形態で説明されているデータ伝送装置はハードウェア様態で実装されてよく、あるいはソフトウェア様態で実装されてもよく、実装様態はここで限定されない。
【０１３０】
図5に見られるように、図5は本発明の一実施形態によるデータ伝送装置の概略構造図である。データ伝送装置は本発明の実施形態で図9から図12に示されている機能を有する。データ伝送装置は汎用計算装置を用いて実装されてよい。データ伝送装置は信号送信器51と信号受信器52とを含み、信号送信器51と信号受信器52は通信バス53を使って接続される。
【０１３１】
信号送信器51は、基地局へアップリンクデータを送信する必要がある場合に、アップリンク伝送リソースを使って基地局へ制御情報を送信するよう構成される。制御情報はユーザー機器の未送信データのためにアップリンクスケジューリングを遂行することを基地局に要求するために使われる。
【０１３２】
信号受信器52は制御情報に応じて基地局から返されるアップリンクスケジューリング情報を受信するよう構成される。
【０１３３】
信号送信器51はアップリンクスケジューリング情報を使って基地局へアップリンクデータを送信するようさらに構成される。
【０１３４】
具体的に述べると、制御情報はバッファステータスレポートBSRを含み、アップリンク伝送リソースは物理アップリンク制御チャネルPUCCHを含む。
【０１３５】
信号送信器51はPUCCHを使って基地局へBSRを送信するよう具体的に構成される。
【０１３６】
信号送信器51は、BSRの送信に使われるPUCCHによって占められる物理リソースブロックがチャネル状態情報CSIの送信に使われるPUCCHによって占められる物理リソースブロックと同じであり、BSRの送信とCSIの送信とで伝送衝突が生じることが判明する場合に、BSR送信とCSI送信の所定送信優先順位に従って送信優先順位が高い方のBSR／CSIをPUCCHを使って基地局へ優先的に送信し、あるいは
BSRの送信に使われるPUCCHによって占められる物理リソースブロックが肯定応答／否定応答ACK／NACKの送信に使われるPUCCHによって占められる物理リソースブロックと同じであり、BSRの送信とACK／NACKの送信とで伝送衝突が生じることが判明する場合に、BSR送信とACK／NACK送信の所定送信優先順位に従って送信優先順位が高い方のBSR／ACK／NACKをPUCCHを使って基地局へ優先的に送信するよう具体的に構成される。
【０１３７】
任意に選べることとして、PUCCHは第二形式物理アップリンク制御チャネルFormat2＿PUCCHまたは第三形式物理アップリンク制御チャネルFormat3＿PUCCHのうち、少なくとも1つ以上を含む。
【０１３８】
信号送信器51は、Format3＿PUCCHを使って基地局へBSRを送信するときに、Format3＿PUCCHに対応する物理リソースブロックにアイドルビットが存在する場合に、Format3＿PUCCHを使って基地局へパケットハンドリングレポートPHRを送信するようさらに構成される。
【０１３９】
具体的に述べると、制御情報はバッファステータスレポートBSRを含み、アップリンク伝送リソースは共通アップリンクスケジューリング情報を含む。
【０１４０】
信号受信器52は基地局によって構成される共通アップリンクスケジューリング情報を受信するようさらに構成される。共通アップリンクスケジューリング情報は共通物理アップリンク共用チャネルPUSCHを含み、共通PUSCHは複数のユーザー機器で共用できるPUSCHを表すために使われる。
【０１４１】
信号送信器51は共通アップリンクスケジューリング情報を使ってBSRとユーザー機器のセル無線ネットワーク仮識別子C−RNTIとを基地局へ送信するよう構成される。
【０１４２】
信号受信器52は基地局によって構成されるグループ無線ネットワーク仮識別子G−RNTIを受信するようさらに構成される。G−RNTIは、基地局によって構成され、複数のユーザー機器によって共用される共通アップリンクスケジューリング情報に対応する、RNTIを表す。
【０１４３】
信号受信器52が制御情報に応じて基地局から返されるアップリンクスケジューリング情報を受信するよう具体的に構成されることは、
制御情報に応じて基地局によって送信されるアップリンクスケジューリング情報をスクランブルされた物理ダウンリンク制御チャネルPDCCHで受信するステップと、
G−RNTIを使ってスクランブルされたPDCCHをデスクランブルするステップと、
スクランブルされたPDCCHが正常に受信される場合に、スクランブルされたPDCCHからダウンリンクスケジューリング情報を取得するステップであって、ここでダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝える、ステップと、
PDSCHで運ばれる、アップリンクスケジューリング情報を使用する目標ユーザー機器のC−RNTIが、ユーザー機器のC−RNTIと同じであるとユーザー機器が判断する場合に、PDSCHで運ばれるアップリンクスケジューリング情報がユーザー機器のアップリンクスケジューリング情報であると判断するステップとを具体的に含む。
【０１４４】
具体的に述べると、信号受信器52が基地局によって送信される共通アップリンクスケジューリング情報を取得するよう具体的に構成されることは、基地局によって送信される共通アップリンクスケジューリング情報をスクランブルされたPDCCHで取得するステップであって、ここでスクランブルされたPDCCHは基地局がG−RNTIを使ってPDCCHをスクランブルした後に得られる、ステップを具体的に含み、あるいは
基地局によって送信される無線リソース制御RRCシグナリングを受信するステップであって、ここでRRCシグナリングは共通アップリンクスケジューリング情報を運ぶ、ステップを具体的に含み、あるいは
基地局によって送信されるシステムメッセージを受信するステップであって、ここでシステムメッセージは共通アップリンクスケジューリング情報を運ぶ、ステップを具体的に含む。
【０１４５】
具体的に述べると、信号受信器52が制御情報に応じて基地局から返されるアップリンクスケジューリング情報を受信するよう具体的に構成されることは、
制御情報に応じて基地局によって送信されるアップリンクスケジューリング情報をスクランブルされた物理ダウンリンク制御チャネルPDCCHで受信するステップと、
ユーザー機器のセル無線ネットワーク仮識別子C−RNTIを使ってスクランブルされたPDCCHをデスクランブルするステップと、
スクランブルされたPDCCHが正常に受信される場合に、スクランブルされたPDCCHで運ばれるアップリンクスケジューリング情報を取得するステップとを具体的に含む。
【０１４６】
尚、本発明の本実施形態で説明されているデータ伝送装置はユーザー機器であってよく、あるいはモバイル端末であってもよい。これはここで具体的に限定されない。
【０１４７】
基地局へアップリンクデータを送信する必要がある場合に、データ伝送装置はアップリンク伝送リソースを使って基地局へ制御情報を送信し、ここで制御情報はユーザー機器の未送信データのためにアップリンクスケジューリングを遂行することを基地局に要求するために使われ、データ伝送装置は制御情報に応じて基地局から返されるアップリンクスケジューリング情報を受信し、アップリンクスケジューリング情報を使って基地局へアップリンクデータを送信する。このように、ユーザー機器が基地局へアップリンクデータを送信する必要があるにもかかわらず、基地局がユーザー機器の未送信データのためにアップリンクスケジューリングに着手していない場合でも、ユーザー機器はアップリンク伝送リソースを使って制御情報を直接送信し、基地局からアップリンクスケジューリング情報を速やかに取得し、アップリンクスケジューリング情報を使って基地局へアップリンクデータを送信する。これによりユーザー機器と基地局との間で制御情報を送信する手順を簡素化でき、データ伝送遅延は減らされ、システム性能は高められる。
【０１４８】
図6に見られるように、図6は本発明の一実施形態によるデータ伝送装置の概略構造図である。データ伝送装置は本発明の実施形態で図9から図12に示されている機能を有する。データ伝送装置は汎用計算装置を用いて実装されてよい。データ伝送装置は信号送信器61と信号受信器62とを含み、信号送信器61と信号受信器62は通信バス63を使って接続される。
【０１４９】
信号受信器62はアップリンク伝送リソースを使ってユーザー機器により送信される制御情報を受信するよう構成される。制御情報はユーザー機器の未送信データのためにアップリンクスケジューリングを遂行することを基地局に要求するために使われる。
【０１５０】
信号送信器61は制御情報に従って制御情報に対応するアップリンクスケジューリング情報をユーザー機器へ送信するよう構成される。
【０１５１】
信号受信器62はアップリンクスケジューリング情報を使ってユーザー機器により送信されるアップリンクデータを受信するようさらに構成される。
【０１５２】
具体的に述べると、信号受信器62はユーザー機器によって送信される制御情報を物理アップリンク制御チャネルPUCCHで受信するよう具体的に構成される。制御情報はバッファステータスレポートBSRを含む。
【０１５３】
可能な一実装様態において、信号送信器61はユーザー機器のために共通アップリンクスケジューリング情報を構成するようさらに構成される。
【０１５４】
信号受信器62は共通アップリンクスケジューリング情報を使ってユーザー機器により送信される制御情報とユーザー機器のセル無線ネットワーク仮識別子C−RNTIとを受信するよう具体的に構成される。制御情報はバッファステータスレポートBSRを含む。
【０１５５】
可能な一実装様態において、信号送信器61はユーザー機器のためにグループ無線ネットワーク仮識別子G−RNTIを構成するようさらに構成される。G−RNTIは、基地局によって構成され、複数のユーザー機器によって共用される共通アップリンクスケジューリング情報に対応する、RNTIを表す。
【０１５６】
信号送信器61がユーザー機器のために共通アップリンクスケジューリング情報を構成するよう構成されることは、
G−RNTIを使って物理ダウンリンク制御チャネルPDCCHをスクランブルするステップと、スクランブルされたPDCCHを使ってユーザー機器のために共通アップリンクスケジューリング情報を構成するステップとを具体的に含み、あるいは
ユーザー機器へ無線リソース制御RRCシグナリングを送信するステップであって、ここでRRCシグナリングは共通アップリンクスケジューリング情報を運ぶ、ステップを具体的に含み、あるいは
ユーザー機器へシステムメッセージを送信するステップであって、ここでシステムメッセージは共通アップリンクスケジューリング情報を運ぶ、ステップを具体的に含む。
【０１５７】
可能な一実装様態において、信号送信器61は、制御情報に従ってユーザー機器にアップリンクスケジューリング情報を割り当て、
ダウンリンクスケジューリング情報で指示された物理ダウンリンク共用チャネルPDSCHでアップリンクスケジューリング情報とユーザー機器のC−RNTIとを運び、
G−RNTIを使ってダウンリンクスケジューリング情報を運ぶ物理ダウンリンク制御チャネルPDCCHをスクランブルし、尚且つスクランブルされたPDCCHをユーザー機器へ送信するよう具体的に構成され、ここでダウンリンクスケジューリング情報はPDSCHを含む。
【０１５８】
可能な一実装様態において、信号送信器61は、制御情報に従ってユーザー機器にアップリンクスケジューリング情報を割り当て、
ユーザー機器のC−RNTIを使ってアップリンクスケジューリング情報を運ぶ物理ダウンリンク制御チャネルPDCCHをスクランブルし、尚且つスクランブルされたPDCCHをユーザー機器へ送信するよう具体的に構成される。
【０１５９】
尚、本発明の本実施形態で説明されているデータ伝送装置は基地局であってよい。これはここで具体的に限定されない。
【０１６０】
図7に見られるように、図7は本発明の一実施形態によるデータ伝送装置の概略構造図である。データ伝送装置は本発明の実施形態で図9から図12に示されている機能を有する。データ伝送装置は汎用計算装置を用いて実装されてよい。データ伝送装置は信号受信器71と信号送信器72とを含み、信号受信器71と信号送信器72は通信バス73を使って接続される。
【０１６１】
信号受信器71は基地局によって構成される共通アップリンクスケジューリング情報を取得するよう構成される。共通アップリンクスケジューリング情報は共通物理アップリンク共用チャネルPUSCHを含み、共通PUSCHは複数のユーザー機器で共用できるPUSCHを表すために使われる。
【０１６２】
信号送信器72は、基地局へアップリンクデータを送信する必要がある場合に、共通アップリンクスケジューリング情報を使って基地局へアップリンクデータとアップリンク制御情報とを送信するよう構成される。アップリンク制御情報はユーザー機器のセル無線ネットワーク仮識別子C−RNTIを含む。
【０１６３】
任意に選べることとして、データ伝送装置は処理器74をさらに含む。
【０１６４】
処理器74は、アップリンクデータとユーザー機器のセル無線ネットワーク仮識別子C−RNTIとが基地局へ送信される前に、前記アップリンクデータ以外のアップリンクデータをさらに送信する必要があると判断するよう構成される。
【０１６５】
信号送信器72は共通アップリンクスケジューリング情報を使って基地局へアップリンクデータと、バッファステータスレポートBSRと、アップリンク制御情報とを送信するよう具体的に構成される。BSRは送信済みの前記アップリンクデータ以外にも送信する必要のあるアップリンクデータがあることを伝えるバッファ情報を表すために使われる。
【０１６６】
具体的に述べると、信号受信器71は、基地局によって送信される肯定応答／否定応答情報を受信し、
肯定応答／否定応答情報に従って基地局へアップリンクデータを再び送信する必要があるか否かを判断するようさらに構成される。
【０１６７】
具体的に述べると、信号受信器71は、基地局によって送信されるダウンリンクスケジューリング情報をスクランブルされたPDCCHで受信し、尚且つG−RNTIを使ってスクランブルされたPDCCHがデスクランブルされて正常に受信される場合に、尚且つダウンリンクスケジューリング情報で指示されたPDSCHで運ばれるC−RNTIがユーザー機器のC−RNTIと同じであると判断される場合に、基地局によって送信される肯定応答／否定応答情報をダウンリンクスケジューリング情報で指示されたPDSCHで取得し、あるいは
基地局によって送信されるダウンリンクスケジューリング情報をスクランブルされたPDCCHを使って受信し、尚且つC−RNTIを使ってスクランブルされたPDCCHがデスクランブルされて正常に受信される場合に、基地局によって送信される肯定応答／否定応答情報をダウンリンクスケジューリング情報で指示されたPDSCHで取得し、あるいは
基地局によって送信される物理HARQ指示チャネルPHICHを受信し、尚且つPHICHに対応するC−RNTIがユーザー機器のC−RNTIと同じであると判断される場合に、基地局によって送信される肯定応答／否定応答情報をPHICHから取得するよう具体的に構成される。
【０１６８】
尚、本発明の本実施形態で説明されているデータ伝送装置はユーザー機器であってよく、あるいはモバイル端末であってもよい。これはここで具体的に限定されない。
【０１６９】
データ伝送装置は基地局によって構成される共通アップリンクスケジューリング情報を取得する。基地局へアップリンクデータを送信する必要がある場合に、データ伝送装置は共通アップリンクスケジューリング情報を使って基地局へアップリンクデータとアップリンク制御情報とを送信する。このように、ユーザー機器は共通アップリンクスケジューリング情報を使って基地局へアップリンクデータを送信する。前述した実装様態と比べて、これによりユーザー機器と基地局との間で制御情報を送信する伝送手順がさらに省かれ、データ伝送遅延は減らされ、システム性能は高められる。
【０１７０】
図8に見られるように、図8は本発明の一実施形態によるデータ伝送装置の概略構造図である。データ伝送装置は本発明の実施形態で図9から図12に示されている機能を有する。データ伝送装置は汎用計算装置を用いて実装されてよい。データ伝送装置は信号送信器81と信号受信器82とを含み、信号送信器81と信号受信器82は通信バス83を使って接続される。
【０１７１】
信号送信器81はユーザー機器のために共通アップリンクスケジューリング情報を構成するよう構成される。共通アップリンクスケジューリング情報は共通物理アップリンク共用チャネルPUSCHを含み、共通PUSCHは複数のユーザー機器で共用できるPUSCHを表すために使われる。
【０１７２】
信号受信器82は共通アップリンクスケジューリング情報を使ってユーザー機器により送信されるアップリンクデータとアップリンク制御情報とを受信するよう構成される。アップリンク制御情報はユーザー機器のセル無線ネットワーク仮識別子C−RNTIを含む。
【０１７３】
尚、本発明の本実施形態で説明されているデータ伝送装置は基地局であってよい。これはここで具体的に限定されない。
【０１７４】
図9に見られるように、図9は本発明の一実施形態によるデータ伝送方法の概略流れ図である。方法は次の通りであってよい。
【０１７５】
ステップ901：基地局へアップリンクデータを送信する必要がある場合に、ユーザー機器はアップリンク伝送リソースを使って基地局へ制御情報を送信し、ここで制御情報はユーザー機器の未送信データのためにアップリンクスケジューリングを遂行することを基地局に要求するために使われる。
【０１７６】
制御情報はバッファステータスレポート（英語：Buffer Status Report、略してBSR）を含む。
【０１７７】
尚、制御情報は、BSRに加えて、パワーヘッドルームレポート（英語：Power Headroom Report、略してPHR）情報等のその他情報を含んでよい。
【０１７８】
制御情報に含まれるBSRは、バッファサイズ等、アップリンクデータのバッファ関連情報を指し、従来のBSRを指すばかりでなく、改良されたBSR等、BSR機能を有するその他情報を指すこともある。
【０１７９】
ステップ901で、アップリンク伝送リソースは、物理アップリンク制御チャネル（英語：Physical Uplink Control Channel、略してPUCCH）や共通アップリンクスケジューリング情報等、ユーザー機器のためにあらかじめ構成され、アップリンク制御情報を運ぶために使える、物理リソースを指す。
【０１８０】
共通アップリンクスケジューリング情報はユーザー機器のために基地局によって構成され、共通アップリンクスケジューリング情報は共通物理アップリンク共用チャネルPUSCHとその他スケジューリング情報を含み、共通PUSCHは複数のユーザー機器で共用できるPUSCHを表すために使われる。
【０１８１】
これはユーザー機器が共通アップリンクスケジューリング情報を使って基地局へ制御情報を送信できることを意味する。
【０１８２】
共通アップリンクスケジューリング情報はパイロットルートシーケンスまたはシフト情報のうち、いずれか1つ以上をさらに含んでよい。これはここで具体的に限定されない。
【０１８３】
尚、共通アップリンクスケジューリング情報として、基地局はユーザー機器のためにグループ無線ネットワーク仮識別子（略してG−RNTI）を構成する。G−RNTIは複数のユーザー機器で共用できる前述した共通アップリンクスケジューリング情報に対応するRNTIを表す。
【０１８４】
G−RNTIは、基地局がユーザー機器のために共通アップリンクスケジューリング情報を構成するときに共通アップリンクスケジューリング情報として基地局によって同時に生成されてよく、あるいはあらかじめ構成されてもよい。これはここで具体的に限定されない。
【０１８５】
具体的に述べると、アップリンク伝送リソースを使って基地局へ制御情報を送信する様態は下記様態を含み、ただし下記様態に限定されない。
【０１８６】
様態1：
ユーザー機器はPUCCHで制御情報を基地局へ送信する。
【０１８７】
具体的に述べると、ユーザー機器はPUCCHでBSRを基地局へ送信する。
【０１８８】
一例として既存のプロトコルで規定されているBSRが使われる。既存のプロトコルでは2種類のBSRが規定されており、1種類のBSRは8ビットを占め、単一論理チャネルグループ（英語：Logical Channel Group、略してLCG）のバッファステータス情報であり、もう1種類のBSRは24ビットを占め、4つのLCGのバッファステータス情報に相当する。
【０１８９】
BSRが基地局へ送信されるときは、第二形式物理アップリンク制御チャネル（つまりFormat2＿PUCCH）か第三形式物理アップリンク制御チャネル（つまりFormat3＿PUCCH）のいずれか一方が優先的に選ばれる。
【０１９０】
具体的に述べると、ユーザー機器が基地局へ1つのBSRを送信するときに、Format2＿PUCCHかFormat3＿PUCCHでBSRが基地局へ送信されてよい。
【０１９１】
例えば、ただ1つのLCGがデータ伝送サービスを運ぶ場合、これはそのLCGのBSRだけを基地局へ送信すればよいことを意味する。この場合はFormat2＿PUCCHかFormat3＿PUCCHが選ばれてよい。Format2＿PUCCHかFormat3＿PUCCHを使ってBSRを送信する場合のビット数は8または6であってよく、あるいはビット数は別の値であってもよい。これはここで限定されない。
【０１９２】
ユーザー機器が基地局へ複数のBSRを送信するときに、Format3＿PUCCHで複数のBSRが基地局へ送信されてよい。
【０１９３】
例えば、それぞれのLCGに対応するBSRによって占められるビット数が6であり、4つの論理チャネルグループがあると仮定すると、4つの論理チャネルグループに対応するBSRによって占められるビット数は24である。複数のLCGがデータ伝送サービスを運ぶ場合、これは複数のLCGに対応する複数のBSRを基地局へ送信する必要があることを意味する。PUCCHでできるだけ多くのBSRを運べるようにするため、この場合は最初の64オーダーのBSRが32オーダーのBSRに変えられてよく、それぞれのLCGに対応するBSRによって占められるビット数は5に減らされ、4つの論理チャネルグループに対応するBSRによって占められるビット数は20に減らされる。この場合は4つのBSRを送信するためFormat3＿PUCCHが選ばれる。
【０１９４】
尚、Format3＿PUCCHを使って基地局へBSRを送信する際に、Format3＿PUCCHに対応する物理リソースブロックにアイドルビットが存在する場合、ユーザー機器はFormat3＿PUCCHを使ってPHR等のその他情報を送信してよい。
【０１９５】
任意に選べることとして、制御情報の送信に使われるPUCCHは従来のPUCCHであってよく、つまりチャネル状態情報（略してCSI）の伝送に使われるPUCCHと、あるいは肯定応答／否定応答（略してACK／NACK）情報の伝送に使われるPUCCHと、同じ物理リソースブロック（略してRB）を占めた従来のPUCCHであってよく、あるいは従来とは異なるPUCCHであってよく、つまりPUCCHは従来のPUCCHによって占められる物理リソースブロックとは異なる。これはここで具体的に限定されない。
【０１９６】
BSRの送信に使われるPUCCHによって占められる物理リソースブロックがCSIやACK／NACK等の送信に使われる従来PUCCHによって占められる物理リソースブロックと同じであるなら、ユーザー機器は、BSRの送信に使われるPUCCHとCSIやACK／NACK等の送信に使われる従来PUCCHとを区別する。例えば区別の様態は次の通りである。現在の従来PUCCHがBSRを運ぶか、それともCSI／ACK／NACKを運ぶかを指示するため、あるいはBSRの送信に使われる符号化方式がCSIやACK／NACKの送信に使われる符号化方式と異なるか否かを指示するため、PUCCHのスクランブリング符号で指示情報が運ばれる。これはここで具体的に限定されない。
【０１９７】
この場合、基地局はユーザー機器によって送信された受信BSRと受信CSIまたは受信ACK／NACK情報とを区別する。
【０１９８】
加えて、BSRの送信に使われるPUCCHによって占められる物理リソースブロックがCSIやACK／NACK等の送信に使われる従来PUCCHによって占められる物理リソースブロックと同じであり、CSIまたはACK／NACKの伝送がBSRの伝送と衝突する場合、ユーザー機器は、BSR送信とCSI送信の所定送信優先順位に従って送信優先順位が高い方のBSR／CSIをPUCCHを使って基地局へ優先的に送信してよく、またBSR送信とACK／NACK送信の所定送信優先順位に従って送信優先順位が高い方のBSR／ACK／NACKをPUCCHを使って基地局へ優先的に送信してよい。
【０１９９】
例えば、BSR送信の所定送信優先順位がCSI送信の送信優先順位より高く、BSRの送信とCSIの送信とで伝送衝突が生じることが判明する場合、ユーザー機器はPUCCHを使って基地局へBSRを優先的に送信する。
【０２００】
BSR送信の所定送信優先順位がCSI送信の送信優先順位より低く、BSRの送信とCSIの送信とで伝送衝突が生じることが判明する場合、ユーザー機器はPUCCHを使って基地局へCSIを優先的に送信する。
【０２０１】
BSR送信とCSI送信の送信優先順位は実際の要件に従って決定されてよく、あるいは別の要件に従って決定されてもよい。これはここで限定されない。
【０２０２】
例えば、BSR送信の所定送信優先順位がACK／NACK送信の送信優先順位より高く、BSRの送信とACK／NACKの送信とで伝送衝突が生じることが判明する場合、ユーザー機器はPUCCHを使って基地局へBSRを優先的に送信する。
【０２０３】
BSR送信の所定送信優先順位がACK／NACK送信の送信優先順位より低く、BSRの送信とACK／NACKの送信とで伝送衝突が生じることが判明する場合、ユーザー機器はPUCCHを使って基地局へACK／NACKを優先的に送信する。
【０２０４】
BSR送信とACK／NACK情報送信の送信優先順位は実際の要件に従って決定されてよく、あるいは別の要件に従って決定されてもよい。これはここで限定されない。
【０２０５】
様態2：
ユーザー機器は基地局によって構成される共通アップリンクスケジューリング情報を取得する。
【０２０６】
共通アップリンクスケジューリング情報は共通物理アップリンク共用チャネルPUSCHを含み、共通PUSCHは複数のユーザー機器で共用できるPUSCHを表すために使われる。
【０２０７】
具体的に述べると、基地局によって構成される共通アップリンクスケジューリング情報をユーザー機器により取得する様態は下記を含み、ただし下記に限定されない。
【０２０８】
ユーザー機器は基地局によって送信される共通アップリンクスケジューリング情報をスクランブルされたPDCCHを使って取得し、ここでスクランブルされたPDCCHは基地局がG−RNTIを使ってPDCCHをスクランブルした後に得られ、あるいは
ユーザー機器は基地局によって送信される無線リソース制御RRCシグナリングを受信し、ここでRRCシグナリングは共通アップリンクスケジューリング情報を運び、あるいは
ユーザー機器は基地局によって送信されるシステムメッセージを受信し、ここでシステムメッセージは共通アップリンクスケジューリング情報を運ぶ。
【０２０９】
尚、共通アップリンクスケジューリング情報として、基地局はユーザー機器のためにグループ無線ネットワーク仮識別子（英語：Radio Network Temporary Identifier、略してG−RNTI）を構成する。
【０２１０】
G−RNTIは、基地局によって構成され、複数のユーザー機器で共用できる前述した共通アップリンクスケジューリング情報に対応する、RNTIを表す。
【０２１１】
G−RNTIは、基地局がユーザー機器のために共通アップリンクスケジューリング情報を構成するときに共通アップリンクスケジューリング情報として基地局によって同時に生成されてよく、あるいはあらかじめ構成されてもよい。これはここで具体的に限定されない。
【０２１２】
ユーザー機器は共通アップリンクスケジューリング情報を使って基地局へ制御情報を送信する。
【０２１３】
具体的に述べると、ユーザー機器は共通アップリンクスケジューリング情報を使ってBSRとユーザー機器のセル無線ネットワーク仮識別子C−RNTIとを基地局へ送信する。
【０２１４】
尚、共通アップリンクスケジューリング情報は変調符号化方式（略してMCS）やパイロットルートシーケンスやシフトパラメータといったその他情報をさらに含んでよい。これはここで具体的に限定されない。
【０２１５】
共通アップリンクスケジューリング情報を使って基地局へBSRとユーザー機器のC−RNTIとを送信することに加え、ユーザー機器は共通PUSCHを使って基地局へ他の情報（MCS等）を送信してもよい。これはここで具体的に限定されない。
【０２１６】
この場合、基地局はユーザー機器によって送信される制御情報を受信し、ユーザー機器のC−RNTIをさらに取得してよく、ユーザー機器のC−RNTIを使って受信した制御情報を送信したユーザー機器を判断してよい。
【０２１７】
ステップ902：ユーザー機器は制御情報に応じて基地局から返されるアップリンクスケジューリング情報を受信する。
【０２１８】
アップリンクスケジューリング情報は物理アップリンク共用チャネルPUSCHを含む。
【０２１９】
ステップ901でユーザー機器により基地局へ制御情報を送信する様態は様々であるため、ステップ902で基地局から返されるアップリンクスケジューリング情報をユーザー機器により受信する様態は様々である。
【０２２０】
様態1：
この様態はステップ901に記載された前述の制御情報送信様態に適用される。
【０２２１】
ユーザー機器は制御情報に応じて基地局によって送信されるアップリンクスケジューリング情報をスクランブルされた物理ダウンリンク制御チャネルPDCCHで受信する。
【０２２２】
具体的に述べると、ユーザー機器はユーザー機器のC−RNTIを使ってスクランブルされたPDCCHをデスクランブルする。
【０２２３】
スクランブルされたPDCCHを正常に受信したユーザー機器はスクランブルされたPDCCHで運ばれたアップリンクスケジューリング情報を取得する。
【０２２４】
様態2：
この様態はステップ901に記載された前述の制御情報送信様態2に適用される。
【０２２５】
ユーザー機器は制御情報に応じて基地局によって送信されるアップリンクスケジューリング情報をスクランブルされた物理ダウンリンク制御チャネルPDCCHで受信する。
【０２２６】
具体的に述べると、ユーザー機器はG−RNTIを使ってスクランブルされたPDCCHをデスクランブルする。
【０２２７】
スクランブルされたPDCCHを正常に受信したユーザー機器はスクランブルされたPDCCHからダウンリンクスケジューリング情報を取得する。ダウンリンクスケジューリング情報は、アップリンクスケジューリング情報を運ぶ物理ダウンリンク共用チャネルPDSCHと、アップリンクスケジューリング情報を使用する目標ユーザー機器のC−RNTIとを伝える。
【０２２８】
PDSCHで運ばれる、アップリンクスケジューリング情報を使用する目標ユーザー機器のC−RNTIが、ユーザー機器のC−RNTIと同じであると判断する場合、ユーザー機器はPDSCHで運ばれるアップリンクスケジューリング情報がユーザー機器のアップリンクスケジューリング情報であると判断する。
【０２２９】
ステップ903：ユーザー機器はアップリンクスケジューリング情報を使って基地局へアップリンクデータを送信する。
【０２３０】
本発明の本実施形態の解決手段によると、基地局へアップリンクデータを送信する必要がある場合に、ユーザー機器はアップリンク伝送リソースを使って基地局へ制御情報を送信し、ここで制御情報はユーザー機器の未送信データのためにアップリンクスケジューリングを遂行することを基地局に要求するために使われ、ユーザー機器は制御情報に応じて基地局から返されるアップリンクスケジューリング情報を受信し、アップリンクスケジューリング情報を使って基地局へアップリンクデータを送信する。このように、ユーザー機器が基地局へアップリンクデータを送信する必要があるにもかかわらず、基地局がユーザー機器の未送信データのためにアップリンクスケジューリングに着手していない場合でも、ユーザー機器はアップリンク伝送リソースを使って制御情報を直接送信し、基地局からアップリンクスケジューリング情報を速やかに取得し、アップリンクスケジューリング情報を使って基地局へアップリンクデータを送信する。これによりユーザー機器と基地局との間で制御情報を送信する手順を簡素化でき、データ伝送遅延は減らされ、システム性能は高められる。
【０２３１】
図10に見られるように、図10は本発明の一実施形態によるデータ伝送方法の概略流れ図である。方法は次の通りであってよい。
【０２３２】
ステップ1001：基地局はアップリンク伝送リソースを使ってユーザー機器により送信される制御情報を受信し、ここで制御情報はユーザー機器の未送信データのためにアップリンクスケジューリングを遂行することを基地局に要求するために使われる。
【０２３３】
尚、アップリンク伝送リソースは、物理アップリンク制御チャネル（英語：Physical Uplink Control Channel、略してPUCCH）や共通アップリンクスケジューリング情報等、ユーザー機器のためにあらかじめ構成され、アップリンク制御情報を運ぶために使える、物理リソースを指す。
【０２３４】
ステップ1001でアップリンク伝送リソースを使ってユーザー機器により送信される制御情報を基地局により受信する様態は下記を含み、ただし下記に限定されない。
【０２３５】
様態1：
基地局はユーザー機器によって送信される制御情報をPUCCHで受信する。
【０２３６】
制御情報はバッファステータスレポート（英語：Buffer Status Report、略してBSR）を含む。
【０２３７】
尚、制御情報は、BSRに加えて、パワーヘッドルームレポート（英語：Power Headroom Report、略してPHR）情報等のその他情報を含んでよい。
【０２３８】
制御情報に含まれるBSRは、バッファサイズ等、アップリンクデータのバッファ関連情報を指し、従来のBSRを指すばかりでなく、改良されたBSR等、BSR機能を有するその他情報を指すこともある。
【０２３９】
様態2：
基地局はユーザー機器のために共通アップリンクスケジューリング情報を構成する。
【０２４０】
共通アップリンクスケジューリング情報は共通PUSCHとその他スケジューリング情報を含み、共通PUSCHは複数のユーザー機器で共用できるPUSCHを表すために使われる。
【０２４１】
共通アップリンクスケジューリング情報はパイロットルートシーケンスまたはシフト情報のうち、いずれか1つ以上をさらに含んでよい。これはここで具体的に限定されない。
【０２４２】
尚、共通アップリンクスケジューリング情報として、基地局はユーザー機器のためにグループ無線ネットワーク仮識別子（英語：Radio Network Temporary Identifier、略してG−RNTI）を構成する。G−RNTIは複数のユーザー機器で共用できる前述した共通アップリンクスケジューリング情報に対応するRNTIを表す。
【０２４３】
G−RNTIは、基地局がユーザー機器のために共通アップリンクスケジューリング情報を構成するときに共通アップリンクスケジューリング情報として基地局によって同時に生成されてよく、あるいはあらかじめ構成されてもよい。これはここで具体的に限定されない。
【０２４４】
基地局によりユーザー機器へ共通アップリンクスケジューリング情報を送信する様態は下記様態を含み、ただし下記様態に限定されない。
【０２４５】
基地局はG−RNTIを使って物理ダウンリンク制御チャネルPDCCHをスクランブルし、尚且つスクランブルされたPDCCHを使ってユーザー機器へ共通アップリンクスケジューリング情報を送信し、あるいは
基地局はユーザー機器へ無線リソース制御RRCシグナリングを送信し、ここでRRCシグナリングは共通アップリンクスケジューリング情報を運び、あるいは
基地局はユーザー機器へシステムメッセージを送信し、ここでシステムメッセージは共通アップリンクスケジューリング情報を運ぶ。
【０２４６】
基地局は共通アップリンクスケジューリング情報を使ってユーザー機器により送信される制御情報とユーザー機器のC−RNTIとを受信する。
【０２４７】
制御情報はバッファステータスレポート（英語：Buffer Status Report、略してBSR）を含む。
【０２４８】
尚、制御情報は、BSRに加えて、パワーヘッドルームレポート（英語：Power Headroom Report、略してPHR）情報等のその他情報を含んでよい。
【０２４９】
制御情報に含まれるBSRは、バッファサイズ等、アップリンクデータのバッファ関連情報を指し、従来のBSRを指すばかりでなく、改良されたBSR等、BSR機能を有するその他情報を指すこともある。
【０２５０】
尚、共通アップリンクスケジューリング情報は共通PUSCHに加えてその他情報を含んでよく、例えば変調符号化方式、パイロットルートシーケンス、シフトパラメータ等のうち、いずれか1つ以上を含んでよい。
【０２５１】
加えて、基地局はユーザー機器によって送信される制御情報を受信し、ユーザー機器のC−RNTIをさらに取得してよく、ユーザー機器のC−RNTIを使って受信した制御情報を送信したユーザー機器を判断してよい。
【０２５２】
ステップ1002：基地局装置は制御情報に従ってユーザー機器へアップリンクスケジューリング情報を送信する。
【０２５３】
ステップ1002で基地局は最初に制御情報に従ってユーザー機器にアップリンクスケジューリング情報を割り当てる。
【０２５４】
アップリンクスケジューリング情報は物理アップリンク共有チャネルPUSCHを含む。
【０２５５】
その後基地局はユーザー機器へアップリンクスケジューリング情報を送信する。
【０２５６】
様態1：
この様態はステップ1001に記載された前述の制御情報受信様態に適用される。
【０２５７】
具体的に述べると、基地局はユーザー機器のC−RNTIを使ってアップリンクスケジューリング情報を運ぶ物理ダウンリンク制御チャネルPDCCHをスクランブルし、尚且つスクランブルされたPDCCHを使ってユーザー機器へアップリンクスケジューリング情報を送信する。
【０２５８】
様態2：
この様態はステップ1001に記載された前述の制御情報受信様態2に適用される。
【０２５９】
具体的に述べると、基地局では、ダウンリンクスケジューリング情報で指示された物理ダウンリンク共用チャネルPDSCHでアップリンクスケジューリング情報とユーザー機器のC−RNTIとが運ばれる。基地局はG−RNTIを使ってダウンリンクスケジューリング情報を運ぶ物理ダウンリンク制御チャネルPDCCHをスクランブルし、尚且つスクランブルされたPDCCHをユーザー機器へ送信する。ダウンリンクスケジューリング情報は物理ダウンリンク共用チャネルPDSCHを含む。
【０２６０】
ステップ1003：基地局はアップリンクスケジューリング情報を使ってユーザー機器により送信されるアップリンクデータを受信する。
【０２６１】
本発明の本実施形態の解決手段によると、ユーザー機器が基地局へアップリンクデータを送信する必要があるにもかかわらず、基地局がユーザー機器の未送信データのためにアップリンクスケジューリングに着手していない場合でも、ユーザー機器はアップリンク伝送リソースを使って制御情報を直接送信し、基地局からアップリンクスケジューリング情報を速やかに取得し、アップリンクスケジューリング情報を使って基地局へアップリンクデータを送信する。これによりユーザー機器と基地局との間で制御情報を送信する手順を簡素化でき、データ伝送遅延は減らされ、システム性能は高められる。
【０２６２】
図11に見られるように、図11は本発明の一実施形態によるデータ伝送方法の概略流れ図である。方法は次の通りであってよい。
【０２６３】
ステップ1101：ユーザー機器は基地局によって構成される共通アップリンクスケジューリング情報を取得する。
【０２６４】
共通アップリンクスケジューリング情報は共通物理アップリンク共用チャネルPUSCHを含み、共通PUSCHは複数のユーザー機器で共用できるPUSCHを表すために使われる。
【０２６５】
ユーザー機器は共通アップリンクスケジューリング情報を使って基地局へアップリンクデータを送信できる。
【０２６６】
共通アップリンクスケジューリング情報はパイロットルートシーケンスまたはシフト情報のうち、いずれか1つ以上をさらに含んでよい。これはここで具体的に限定されない。
【０２６７】
尚、共通アップリンクスケジューリング情報として、基地局はユーザー機器のためにグループ無線ネットワーク仮識別子（英語：Radio Network Temporary Identifier、略してG−RNTI）を構成する。G−RNTIは複数のユーザー機器で共用できる前述した共通アップリンクスケジューリング情報に対応するRNTIを表す。
【０２６８】
G−RNTIは、基地局がユーザー機器のために共通アップリンクスケジューリング情報を構成するときに共通アップリンクスケジューリング情報として基地局によって同時に生成されてよく、あるいはあらかじめ構成されてもよい。これはここで具体的に限定されない。
【０２６９】
ステップ1101で基地局にって構成された共通アップリンクスケジューリング情報をユーザー機器により取得する様態は下記を含み、ただし下記に限定されない。
【０２７０】
ユーザー機器は基地局によって送信される共通アップリンクスケジューリング情報をスクランブルされたPDCCHで取得し、ここでスクランブルされたPDCCHは基地局がG−RNTIを使ってPDCCHをスクランブルした後に得られ、あるいは
ユーザー機器は基地局によって送信される無線リソース制御RRCシグナリングを受信し、ここでRRCシグナリングは共通アップリンクスケジューリング情報を運び、あるいは
ユーザー機器は基地局によって送信されるシステムメッセージを受信し、ここでシステムメッセージは共通アップリンクスケジューリング情報を運ぶ。
【０２７１】
ステップ1102：基地局へアップリンクデータを送信する必要がある場合に、ユーザー機器は共通アップリンクスケジューリング情報を使って基地局へアップリンクデータとアップリンク制御情報とを送信する。
【０２７２】
ステップ1102でユーザー機器は、基地局へアップリンクデータとアップリンク制御情報とを送信する前に、前記アップリンクデータ以外のアップリンクデータをさらに送信する必要があると判断する場合に、共通アップリンクスケジューリング情報を使って基地局へバッファステータスレポートBSRと、アップリンクデータと、アップリンク制御情報とをまとめてさらに送信してよい。
【０２７３】
BSRは、ユーザー機器が送信済みのアップリンクデータを除く他のアップリンクデータをさらに送信する必要があり、送信の必要があるユーザー機器の他のアップリンクデータのためにアップリンクスケジューリングを再び遂行することを基地局に要求していることを表すために使われる。
【０２７４】
この場合、基地局は送信の必要があるユーザー機器の他のアップリンクデータのためにユーザー機器のアップリンクスケジューリングを遂行してよく、これによりユーザー機器は専用のアップリンクスケジューリング情報を使って基地局へ送信の必要がある他のアップリンクデータを送信する。
【０２７５】
尚、アップリンク制御情報（略してUCI）はユーザー機器のC−RNTIを含み、変調符号化方式MCSやMSC−offset（オフセット）といった他の制御情報をさらに含んでもよい。これはここで具体的に限定されない。
【０２７６】
尚、ユーザー機器はUCIを送信する際に、共通PUSCHでUCIによって占められる時間・周波数位置を基地局の構成に従って判断する必要がある。基地局によりUCIの時間・周波数位置を構成する方法は共通アップリンクスケジューリング情報を構成する方法のいずれか1つであってよい。これはここで具体的に限定されない。
【０２７７】
UCIの時間・周波数位置を判断する様態は下記を含み、ただし下記に限定されない。
【０２７８】
様態1：共通PUSCHによって占められる物理リソースでアップリンクパイロットに隣接する4つの直交周波数分割多重方式（略してOFDM）シンボルが共通PUSCHでUCIによって占められる時間・周波数位置として選ばれる。
【０２７９】
様態2：共通PUSCHでUCIによって占められる時間・周波数位置として、システムであらかじめ決められた様態でResource Blockが選ばれる。この様態ではUCIに固定変調方式が使われ、ビットレートは固定される。
【０２８０】
ステップ1103：ユーザー機器は基地局によって送信される肯定応答／否定応答情報を受信し、尚且つ肯定応答／否定応答情報に従って基地局へアップリンクデータを再び送信する必要があるか否かを判断する。
【０２８１】
ステップ1103で基地局によって送信される肯定応答／否定応答情報をユーザー機器により受信する様態は下記を含み、ただし下記に限定されない。
【０２８２】
ユーザー機器は基地局によって送信されるダウンリンクスケジューリング情報をスクランブルされたPDCCHで受信し、尚且つG−RNTIを使ってスクランブルされたPDCCHをデスクランブルし、スクランブルされたPDCCHを正常に受信し、尚且つダウンリンクスケジューリング情報で指示されたPDSCHで運ばれるC−RNTIがユーザー機器のC−RNTIと同じであると判断する場合に、基地局によって送信される肯定応答／否定応答情報をダウンリンクスケジューリング情報で指示されたPDSCHで取得し、あるいは
ユーザー機器は基地局によって送信されるダウンリンクスケジューリング情報をスクランブルされたPDCCHで受信し、尚且つC−RNTIを使ってスクランブルされたPDCCHをデスクランブルし、スクランブルされたPDCCHを正常に受信する場合に、基地局によって送信される肯定応答／否定応答情報をダウンリンクスケジューリング情報で指示されたPDSCHで取得し、あるいは
ユーザー機器は基地局によって送信される物理HARQ指示チャネルPHICHを受信し、尚且つPHICHに対応するC−RNTIがユーザー機器のC−RNTIと同じであると判断する場合に、基地局によって送信される肯定応答／否定応答情報をPHICHから取得する。
【０２８３】
ユーザー機器は、基地局装置によって送信されるNACK情報を受信するときに、ステップ1102で送信されたアップリンクデータを基地局装置へ再び送信する必要があると判断する。
【０２８４】
本発明の本実装様態で、ユーザー機器は基地局によって構成される共通アップリンクスケジューリング情報を取得し、基地局へアップリンクデータを送信する必要がある場合に、共通アップリンクスケジューリング情報を使って基地局へアップリンクデータとアップリンク制御情報とを送信する。このように、ユーザー機器は共通アップリンクスケジューリング情報を使って基地局へアップリンクデータを送信する。前述した実装様態と比べて、これによりユーザー機器と基地局との間で制御情報を送信する伝送手順がさらに省かれ、データ伝送遅延は減らされ、システム性能は高められる。
【０２８５】
図12に見られるように、図12は本発明の一実施形態によるデータ伝送方法の概略流れ図である。方法は次の通りであってよい。
【０２８６】
ステップ1201：基地局はユーザー機器のために共通アップリンクスケジューリング情報を構成する。
【０２８７】
共通アップリンクスケジューリング情報は共通物理アップリンク共用チャネルPUSCHを含み、共通PUSCHは複数のユーザー機器で共用できるPUSCHを表すために使われる。
【０２８８】
共通アップリンクスケジューリング情報はパイロットルートシーケンスまたはシフト情報のうち、いずれか1つ以上をさらに含んでよい。これはここで具体的に限定されない。
【０２８９】
尚、共通アップリンクスケジューリング情報として、基地局はユーザー機器のためにグループ無線ネットワーク仮識別子（英語：Radio Network Temporary Identifier、略してG−RNTI）を構成する。G−RNTIは複数のユーザー機器で共用できる前述した共通アップリンクスケジューリング情報に対応するRNTIを表す。
【０２９０】
G−RNTIは、基地局がユーザー機器のために共通アップリンクスケジューリング情報を構成するときに共通アップリンクスケジューリング情報として基地局によって同時に生成されてよく、あるいはあらかじめ構成されてもよい。これはここで具体的に限定されない。
【０２９１】
具体的に述べると、ユーザー機器のため基地局により共通アップリンクスケジューリング情報を構成する様態は下記を含み、ただし下記に限定されない。
【０２９２】
基地局はG−RNTIを使って物理ダウンリンク制御チャネルPDCCHをスクランブルし、尚且つスクランブルされたPDCCHを使ってユーザー機器へ共通アップリンクスケジューリング情報を送信し、あるいは
基地局はユーザー機器へ無線リソース制御RRCシグナリングを送信し、ここでRRCシグナリングは共通アップリンクスケジューリング情報を運び、あるいは
基地局はユーザー機器へシステムメッセージを送信し、ここでシステムメッセージは共通アップリンクスケジューリング情報を運ぶ。
【０２９３】
ステップ1202：基地局は共通アップリンクスケジューリング情報を使ってユーザー機器により送信されるアップリンクデータとアップリンク制御情報とを受信する。
【０２９４】
ステップ1202の実装様態は図11に示されステップ1102で説明されている様態と同じであり、ここでは詳細を繰り返し説明しない。
【０２９５】
ステップ1203：基地局はユーザー機器へ肯定応答／否定応答情報を送信する。
【０２９６】
ステップ1203の実装様態は図11に示されステップ1103で説明されている様態と同じであり、ここでは詳細を繰り返し説明しない。
【０２９７】
任意に選べることとして、基地局装置は、ユーザー機器へ否定応答情報を送信する場合に、ユーザー機器に専用アップリンクスケジューリング情報を割り当て、C−RNTIを使ってスクランブルされたPDCCHを使ってユーザー機器へ専用アップリンクスケジューリング情報を送信し、これによりユーザー機器は専用アップリンクスケジューリング情報を使ってステップ1202に記載されたアップリンクデータを基地局へ送信できるようになる。
【０２９８】
本発明の本実装様態で、基地局はユーザー機器のために共通アップリンクスケジューリング情報を構成し、基地局へアップリンクデータを送信する必要がある場合に、ユーザー機器は共通アップリンクスケジューリング情報を使って基地局へアップリンクデータとアップリンク制御情報とを送信する。このように、ユーザー機器は共通アップリンクスケジューリング情報を使って基地局へアップリンクデータを送信する。前述した実装様態と比べて、これによりユーザー機器と基地局との間で制御情報を送信する伝送手順がさらに省かれ、データ伝送遅延は減らされ、システム性能は高められる。
【０２９９】
当業者なら本発明の実施形態が方法として、機器（装置）として、またはコンピュータプログラム製品として、提供される得ることを理解するはずである。したがって、本発明ではハードウェアのみの実施形態を、ソフトウェアのみの実施形態を、あるいはソフトウェアとハードウェアを組み合わせた実施形態を、使用できる。加えて、本発明ではコンピュータで使用できるプログラムコードを含む1つ以上のコンピュータで使用できる記憶媒体（ディスクメモリー、CD−ROM、光学式メモリー等を含み、ただしこれらに限定されない）で実現されるコンピュータプログラム製品を使用できる。
【０３００】
本発明の実施形態による方法、機器（装置）、およびコンピュータプログラム製品の流れ図および／またはブロック図を参照しながら本発明を説明した。流れ図および／またはブロック図にある各プロセスおよび／または各ブロックを実施するため、また流れ図および／またはブロック図にあるプロセスおよび／またはブロックの組み合わせを実施するため、コンピュータプログラム命令が使われてよいことを理解されたい。これらのコンピュータプログラム命令を汎用コンピュータ、専用コンピュータ、組み込みプロセッサ、または別のプログラム可能データ処理装置のプロセッサに設けることで機械が形成されてよく、コンピュータまたは別のプログラム可能データ処理装置のプロセッサによって実行される命令によって、流れ図にある1つ以上のプロセスで、および／またはブロック図にある1つ以上のブロックで、特定の機能を実施する機器が形成される。
【０３０１】
これらのコンピュータプログラム命令は、コンピュータや他のプログラム可能データ処理装置に特定の様態で働くことを命令できるコンピュータ可読メモリーに格納されてもよく、コンピュータ可読メモリーに格納された命令によって命令機器を含む人工物が形成される。命令機器は、流れ図にある1つ以上のプロセスで、および／またはブロック図にある1つ以上のブロックで、特定の機能を実施する。
【０３０２】
これらのコンピュータプログラム命令は、コンピュータや他のプログラム可能データ処理装置に読み込まれてもよく、そうするこでコンピュータや他のプログラム可能装置で一連の操作やステップが遂行され、これによりコンピュータ実装処理が形成される。したがって、コンピュータや他のプログラム可能装置で実行される命令により、流れ図にある1つ以上のプロセスで、および／またはブロック図にある1つ以上のブロックで、特定の機能を実施するステップが提供される。
【０３０３】
本発明の実施形態をいくつか説明したが、発明の基本コンセプトを習得した当業者ならこれらの実施形態に変更や改良を加えることができる。したがって、以降の請求項は好適な実施形態と本発明の範囲内にある変更や改良を範囲に含むものとして解釈すべきものである。
【０３０４】
当然ながら、当業者は本発明の範囲から逸脱せずに本発明に様々な改良や変更を加えることができる。これらの改良や変更が請求項ならびに同等の技術の範囲内にある限り、これらの改良や変更は本発明の範囲に含まれる。
【符号の説明】
【０３０５】
11,22,32,41  送信モジュール
12,21,34,42  受信モジュール
31  取得モジュール
33  判断モジュール
51,61,72,81  信号送信器
52,62,71,82  信号受信器
53,63,73,83  通信バス
74  処理器
【図１】
0006521406.tif 000002
【図２】
0006521406.tif 000003
【図３】
0006521406.tif 000004
【図４】
0006521406.tif 000005
【図５】
0006521406.tif 000006
【図６】
0006521406.tif 000007
【図７】
0006521406.tif 000008
【図８】
0006521406.tif 000009
【図９】
0006521406.tif 000010
【図１０】
0006521406.tif 000011
【図１１】
0006521406.tif 000012
【図１２】
0006521406.tif 000013